(57)【要約】  専用狭域通信（ＤＳＲＣ）スペクトルの少なくとも一部分を日和見的に使用するための方法、システム、およびデバイスについて説明する。マルチモードデバイスがＤＳＲＣスペクトルの外側で動作させられる。ＤＳＲＣスペクトルの少なくとも一部分上のアクティビティレベルが検出され、検出されたアクティビティレベルに少なくとも部分的に基づいて、ＤＳＲＣスペクトルの少なくともその部分を使用すべきかどうかが決定される。【選択図】図６
2016525299.tif 000002
【特許請求の範囲】
【請求項１】
専用狭域通信（ＤＳＲＣ）スペクトルの少なくとも一部分を日和見的に使用するための方法であって、
マルチモードデバイスが、前記ＤＳＲＣスペクトルの外側で動作することと、
前記ＤＳＲＣスペクトルの少なくとも前記一部分上のアクティビティレベルを検出することと、
前記検出されたアクティビティレベルに少なくとも部分的に基づいて前記ＤＳＲＣスペクトルの少なくとも前記一部分を使用すべきかどうかを決定することと
を備える、方法。
【請求項２】
アクセスポイントから、前記ＤＳＲＣスペクトルを使用する前記アクセスポイントの能力を示す情報を備える送信を受信することと、
前記ＤＳＲＣスペクトルを使用する能力を示すシグナリング情報を送ることと
をさらに備える、請求項１に記載の方法。
【請求項３】
前記アクティビティレベルを前記検出することは、
前記ＤＳＲＣスペクトル上の前記アクティビティレベルを検出するために前記ＤＳＲＣスペクトルを周期的にスキャンすることを備える、
請求項１に記載の方法。
【請求項４】
前記ＤＳＲＣスペクトルの少なくとも前記一部分の少なくとも１つのスキャンの結果を備えるレポートを送信することをさらに備える、
請求項３に記載の方法。
【請求項５】
前記ＤＳＲＣスペクトルの少なくとも前記一部分の使用が許されるかどうかを示す命令を受信することをさらに備え、前記命令は、前記ＤＳＲＣスペクトルの少なくとも前記一部分上の前記アクティビティレベルに少なくとも部分的に基づく、
請求項３に記載の方法。
【請求項６】
第１の通信チャネルを確立すること、前記第１の通信チャネルは、前記ＤＳＲＣスペクトルの外側にある、と、
前記ＤＳＲＣスペクトルの少なくとも前記一部分を使用することを決定すると、送信のための第２の通信チャネルを確立することと
をさらに備え、前記第２の通信チャネルの少なくとも一部分は、前記ＤＳＲＣスペクトル内にある、
請求項１に記載の方法。
【請求項７】
前記第２の通信チャネルを使用して前記送信が行われる間、前記第１の通信チャネルを維持すること
をさらに備える、請求項６に記載の方法。
【請求項８】
前記ＤＳＲＣスペクトル中の前記送信が終了したと決定することと、
前記第２の通信チャネルの前記使用を終了することと
をさらに備える、請求項６に記載の方法。
【請求項９】
前記アクティビティレベルを前記検出することは、
前記ＤＳＲＣスペクトル中のエネルギーレベルを検出することを備える、
請求項１に記載の方法。
【請求項１０】
前記アクティビティレベルを前記検出することは、
前記ＤＳＲＣスペクトル中のパケットの送信を検出することと、
前記パケットがＤＳＲＣパケットであるかどうかを決定することと
を備える、請求項１に記載の方法。
【請求項１１】
前記パケットがＤＳＲＣパケットであるかどうかを前記決定することは、
前記パケットのプリアンブルを分析することと、
前記分析されたプリアンブルの１つまたは複数の特性に少なくとも部分的に基づいて、前記パケットがＤＳＲＣパケットであると決定することと
を備える、請求項１０に記載の方法。
【請求項１２】
前記ＤＳＲＣスペクトルを使用すべきかどうかを前記決定することは、
前記ＤＳＲＣスペクトルを使用した前記マルチモードデバイスの送信によって引き起こされる干渉のレベルがしきい値干渉レベルを下回るかどうかを決定することを備える、
請求項１に記載の方法。
【請求項１３】
干渉の前記レベルが１つまたは複数の異なる送信電力レベルに対して前記しきい値干渉レベルを下回るかどうかを決定することをさらに備える、
請求項１２に記載の方法。
【請求項１４】
干渉の前記レベルが前記マルチモードデバイスの１つまたは複数の異なるアンテナ構成に対して前記しきい値干渉レベルを下回るかどうかを決定することをさらに備える、
請求項１２に記載の方法。
【請求項１５】
前記しきい値干渉レベルは、前記マルチモードデバイスの地理的ロケーションに少なくとも部分的に基づく、
請求項１２に記載の方法。
【請求項１６】
専用狭域通信（ＤＳＲＣ）スペクトルの少なくとも一部分を日和見的に使用するためのデバイスであって、
プロセッサと、
前記プロセッサと電子通信しているメモリと、
前記メモリに記憶された命令と
を備え、前記命令は、
マルチモードデバイスを前記ＤＳＲＣスペクトルの外側で動作させることと、
前記ＤＳＲＣスペクトルの少なくとも前記一部分上のアクティビティレベルを検出することと、
前記検出されたアクティビティレベルに少なくとも部分的に基づいて前記ＤＳＲＣスペクトルの少なくとも前記一部分を使用すべきかどうかを決定することと
を行うために前記プロセッサによって実行可能である、デバイス。
【請求項１７】
前記命令は、
アクセスポイントから、前記ＤＳＲＣスペクトルを使用する前記アクセスポイントの能力を示す情報を備える送信を受信することと、
前記ＤＳＲＣスペクトルを使用する能力を示すシグナリング情報を送ることと
を行うために前記プロセッサによって実行可能である、  請求項１６に記載のデバイス。
【請求項１８】
前記アクティビティレベルを検出するための前記命令は、
前記ＤＳＲＣスペクトルの少なくとも前記一部分上の前記アクティビティレベルを検出するために前記ＤＳＲＣスペクトルを周期的にスキャンすることを行うために前記プロセッサによって実行可能である、
請求項１６に記載のデバイス。
【請求項１９】
前記命令は、
前記ＤＳＲＣスペクトルの少なくとも前記一部分の少なくとも１つのスキャンの結果を備えるレポートを送信することを行うために前記プロセッサによって実行可能である、
請求項１８に記載のデバイス。
【請求項２０】
前記命令は、
前記ＤＳＲＣスペクトルの少なくとも前記一部分の使用が許されるかどうかを示す命令を受信するために前記プロセッサによって実行可能であり、前記命令は、前記ＤＳＲＣスペクトル上の前記アクティビティレベルに少なくとも部分的に基づく、
請求項１８に記載のデバイス。
【請求項２１】
前記命令は、
第１の通信チャネルを確立すること、前記第１の通信チャネルが前記ＤＳＲＣスペクトルの外側にある、と、
前記ＤＳＲＣスペクトルの少なくとも前記一部分を使用することを決定すると、送信のための第２の通信チャネルを確立することと
を行うために前記プロセッサによって実行可能であり、前記第２の通信チャネルの少なくとも一部分が前記ＤＳＲＣスペクトル内にある、
請求項１６に記載のデバイス。
【請求項２２】
前記命令は、
前記第２の通信チャネルを使用して前記送信が行われる間、前記第１の通信チャネルを維持することを行うために前記プロセッサによって実行可能である、
請求項２１に記載のデバイス。
【請求項２３】
前記命令は、
前記ＤＳＲＣスペクトル中の前記送信が終了したと決定することと、
前記第２の通信チャネルの前記使用を終了することと
を行うために前記プロセッサによって実行可能である、請求項２１に記載のデバイス。
【請求項２４】
前記アクティビティレベルを検出するための前記命令は、
前記ＤＳＲＣスペクトル中のエネルギーレベルを検出することを行うために前記プロセッサによって実行可能である、
請求項１６に記載のデバイス。
【請求項２５】
前記アクティビティレベルを検出するための前記命令は、
前記ＤＳＲＣスペクトル中のパケットの送信を検出することと、
前記パケットがＤＳＲＣパケットであるかどうかを決定することと
を行うために前記プロセッサによって実行可能である、請求項１６に記載のデバイス。
【請求項２６】
前記パケットがＤＳＲＣパケットであるかどうかを決定するための前記命令は、
前記パケットのプリアンブルを分析することと、
前記分析されたプリアンブルの１つまたは複数の特性に少なくとも部分的に基づいて、前記パケットがＤＳＲＣパケットであると決定することと
を行うために前記プロセッサによって実行可能である、請求項２５に記載のデバイス。
【請求項２７】
前記ＤＳＲＣスペクトルを使用すべきかどうかを決定するための前記命令は、
前記ＤＳＲＣスペクトルを使用した前記マルチモードデバイスの送信によって引き起こされる干渉のレベルがしきい値干渉レベルを下回るかどうかを決定することを行うために前記プロセッサによって実行可能である、
請求項１６に記載のデバイス。
【請求項２８】
前記命令は、
干渉の前記レベルが１つまたは複数の異なる送信電力レベルに対して前記しきい値干渉レベルを下回るかどうかを決定することを行うために前記プロセッサによって実行可能である、
請求項２７に記載のデバイス。
【請求項２９】
前記命令は、
干渉の前記レベルが前記マルチモードデバイスの１つまたは複数の異なるアンテナ構成に対して前記しきい値干渉レベルを下回るかどうかを決定することを行うために前記プロセッサによって実行可能である、
請求項２７に記載のデバイス。
【請求項３０】
前記しきい値干渉レベルは、前記マルチモードデバイスの地理的ロケーションに少なくとも部分的に基づく、
請求項２７に記載のデバイス。
【請求項３１】
専用狭域通信（ＤＳＲＣ）スペクトルの少なくとも一部分を日和見的に使用するための装置であって、
マルチモードデバイスを前記ＤＳＲＣスペクトルの外側で動作させるための手段と、
前記ＤＳＲＣスペクトルの少なくとも前記一部分上のアクティビティレベルを検出するための手段と、
前記検出されたアクティビティレベルに少なくとも部分的に基づいて前記ＤＳＲＣスペクトルの少なくとも前記一部分を使用すべきかどうかを決定するための手段と
を備える、装置。
【請求項３２】
アクセスポイントから、前記ＤＳＲＣスペクトルを使用する前記アクセスポイントの能力を示す情報を備える送信を受信するための手段と、
前記ＤＳＲＣスペクトルを使用する能力を示すシグナリング情報を送るための手段と
をさらに備える、請求項３１に記載の装置。
【請求項３３】
前記アクティビティレベルを検出するための前記手段は、
前記ＤＳＲＣスペクトルの少なくとも前記一部分上の前記アクティビティレベルを検出するために前記ＤＳＲＣスペクトルを周期的にスキャンするための手段を備える、
請求項３１に記載の装置。
【請求項３４】
第１の通信チャネルを確立するための手段、前記第１の通信チャネルが前記ＤＳＲＣスペクトルの外側にある、と、
前記ＤＳＲＣスペクトルの少なくとも前記一部分を使用することを決定すると、送信のための第２の通信チャネルを確立するための手段と
をさらに備え、前記第２の通信チャネルの少なくとも一部分が前記ＤＳＲＣスペクトル内にある、
請求項３１に記載の装置。
【請求項３５】
前記第２の通信チャネルを使用して前記送信が行われる間、前記第１の通信チャネルを維持するための手段をさらに備える、
請求項３４に記載の装置。
【請求項３６】
前記アクティビティレベルを検出するための前記手段は、
前記ＤＳＲＣスペクトル中のエネルギーレベルを検出するための手段を備える、
請求項３１に記載の装置。
【請求項３７】
前記アクティビティレベルを検出するための前記手段は、
前記ＤＳＲＣスペクトル中のパケットの送信を検出するための手段と、
前記パケットがＤＳＲＣパケットであるかどうかを決定するための手段と
を備える、請求項３１に記載の装置。
【請求項３８】
前記ＤＳＲＣスペクトルを使用すべきかどうかを決定するための前記手段は、
前記ＤＳＲＣスペクトルを使用した前記マルチモードデバイスの送信によって引き起こされる干渉のレベルがしきい値干渉レベルを下回るかどうかを決定するための手段を備える、
請求項３１に記載の装置。
【請求項３９】
専用狭域通信（ＤＳＲＣ）スペクトルの少なくとも一部分を日和見的に使用するためのコンピュータプログラム製品であって、
マルチモードデバイスを前記ＤＳＲＣスペクトルの外側で動作させることと、
前記ＤＳＲＣスペクトルの少なくとも前記一部分上のアクティビティレベルを検出することと、
前記検出されたアクティビティレベルに少なくとも部分的に基づいて前記ＤＳＲＣスペクトルの少なくとも前記一部分を使用すべきかどうかを決定することと
を行うためにプロセッサによって実行可能である命令を記憶する非一時的コンピュータ可読媒体を備える、コンピュータプログラム製品。
【請求項４０】
前記命令は、
第１の通信チャネルを確立すること、前記第１の通信チャネルが前記ＤＳＲＣスペクトルの外側にある、と、
前記ＤＳＲＣスペクトルの少なくとも前記一部分を使用することを決定すると、送信のための第２の通信チャネルを確立することと
を行うために前記プロセッサによって実行可能であり、前記第２の通信チャネルの少なくとも一部分が前記ＤＳＲＣスペクトル内にある、
請求項３９に記載のコンピュータプログラム製品。
【請求項４１】
前記命令は、
前記第２の通信チャネルを使用して前記送信が行われる間、前記第１の通信チャネルを維持することを行うために前記プロセッサによって実行可能である、
請求項４０に記載のコンピュータプログラム製品。
【請求項４２】
前記アクティビティレベルを検出するための前記命令は、
前記ＤＳＲＣスペクトル中のエネルギーレベルを検出することを行うために前記プロセッサによって実行可能である、
請求項３９に記載のコンピュータプログラム製品。
【請求項４３】
前記ＤＳＲＣスペクトルを使用すべきかどうかを決定するための前記命令は、
前記ＤＳＲＣスペクトルを使用した前記マルチモードデバイスの送信によって引き起こされる干渉のレベルがしきい値干渉レベルを下回るかどうかを決定することを行うために前記プロセッサによって実行可能である、
請求項３９に記載のコンピュータプログラム製品。
【発明の詳細な説明】
【関連出願】
【０００１】
相互参照  
[0001]本特許出願は、本出願の譲受人に譲渡され、２０１３年６月１９日に出願された「Opportunistic Use of the DSRC Spectrum」と題する、Ｗａｎｇらによる米国特許出願第１３／９２１，７０６号の優先権を主張する。
【背景技術】
【０００２】
[0002]ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００３】
[0003]概して、ワイヤレス多元接続通信システムは、各々が複数のモバイルデバイスのための通信を同時にサポートする、いくつかの基地局を含み得る。基地局は、ダウンストリームリンクおよびアップストリームリンク上でモバイルデバイスと通信し得る。各基地局は、セルのカバレージエリアと呼ばれることがあるカバレージ範囲を有する。送信のための利用可能な帯域幅は送信のデータレートおよびスループットに影響を及ぼす。帯域幅が増加するにつれて、データレートも増加し得る。
【０００４】
[0004]セルラーネットワークおよびＷｉ−Ｆｉ（登録商標）ネットワーク上で通信するマルチモードデバイスは、それらの送信のために増加した量の帯域幅を使用することを望むことがある。ＤＳＲＣスペクトル中で動作するデバイスに割り振られた帯域幅は、一般に、ＤＳＲＣ関係送信のために使用される。ＤＳＲＣスペクトルを使用してマルチモードデバイスがそれの帯域幅を拡大すると、それによりこれらのＤＳＲＣ関係送信への干渉が起こり得る。したがって、ＤＳＲＣスペクトルが、非ＤＳＲＣ送信を実行するデバイスと共有されるとき、ＤＳＲＣ関係送信への干渉を最小限に抑える技法が望まれる。
【発明の概要】
【０００５】
[0005]説明する特徴は、一般に、専用狭域通信（ＤＳＲＣ：dedicated short range communications）スペクトルの少なくとも一部分を日和見的に（opportunistically）使用するための１つまたは複数の改善された方法、システム、および／または装置に関する。１つの構成では、マルチモードデバイスがＤＳＲＣスペクトルの外側で動作させられる。ＤＳＲＣスペクトルの少なくとも一部分上のアクティビティレベルが検出され、検出されたアクティビティレベルに少なくとも部分的に基づいてＤＳＲＣスペクトルの少なくともその部分を使用すべきかどうかが決定される。
【０００６】
[0006]１つの構成では、ＤＳＲＣスペクトルの少なくとも一部分を日和見的に使用するための方法について説明する。本方法によれば、マルチモードデバイスがＤＳＲＣスペクトルの外側で動作させられ得る。ＤＳＲＣスペクトルの少なくとも一部分上のアクティビティレベルが検出され得、検出されたアクティビティレベルに少なくとも部分的に基づいてＤＳＲＣスペクトルの少なくともその部分を使用すべきかどうかが決定され得る。
【０００７】
[0007]いくつかの実施形態では、送信がアクセスポイントから受信され得る。送信は、ＤＳＲＣスペクトルを使用するアクセスポイントの能力を示す情報を含み得る。次いで、ＤＳＲＣスペクトルを使用する能力を示すシグナリング情報が送られ得る。
【０００８】
[0008]いくつかの実施形態では、アクティビティレベルを検出することは、ＤＳＲＣスペクトル上のアクティビティレベルを検出するためにＤＳＲＣスペクトルを周期的にスキャンすることを含み得る。いくつかの場合では、ＤＳＲＣスペクトルの少なくともその部分の少なくとも１つのスキャンの結果を含むレポートが送信され得る。いくつかの場合では、ＤＳＲＣスペクトルの少なくともその部分の使用が許されるかどうかを示す命令が受信され得る。命令は、ＤＳＲＣスペクトルの少なくともその部分上のアクティビティレベルに少なくとも部分的に基づき得る。
【０００９】
[0009]いくつかの実施形態では、第１の通信チャネルがＤＳＲＣスペクトルの外側に確立され得、ＤＳＲＣスペクトルの少なくともその部分を使用することを決定すると、第２の通信チャネルが送信のために確立され得る。第２の通信チャネルの少なくとも一部分はＤＳＲＣスペクトル内にあり得る。いくつかの場合では、第２の通信チャネルを使用して送信が行われる間、第１の通信チャネルは維持され得る。
いくつかの場合では、ＤＳＲＣスペクトル中の送信が終了したと決定され得、第２の通信チャネルの使用が終了され得る。
【００１０】
[0010]いくつかの実施形態では、アクティビティレベルを検出することは、ＤＳＲＣスペクトル中のエネルギーレベルを検出することを含み得る。
【００１１】
[0011]いくつかの実施形態では、アクティビティレベルを検出することは、ＤＳＲＣスペクトル中のパケットの送信を検出することと、パケットがＤＳＲＣパケットであるかどうかを決定することとを含み得る。パケットは、いくつかの場合では、パケットのプリアンブルを分析することと、分析されたプリアンブルの１つまたは複数の特性に少なくとも部分的に基づいて、パケットがＤＳＲＣパケットであると決定することとによって、ＤＳＲＣパケットであると決定され得る。
【００１２】
[0012]いくつかの実施形態では、ＤＳＲＣスペクトルを使用すべきかどうかを決定することは、ＤＳＲＣスペクトルを使用したマルチモードデバイスの送信によって引き起こされる干渉のレベルがしきい値干渉レベルを下回るかどうかを決定することを含み得る。これらの実施形態では、本方法は、干渉のレベルが１つまたは複数の異なる送信電力レベルに対してしきい値干渉レベルを下回るかどうかを決定すること、または干渉のレベルがマルチモードデバイスの１つまたは複数の異なるアンテナ構成に対してしきい値干渉レベルを下回るかどうかを決定することをさらに含み得る。しきい値干渉レベルはマルチモードデバイスの地理的ロケーションに少なくとも部分的に基づき得る。
【００１３】
[0013]別の構成では、ＤＳＲＣスペクトルの少なくとも一部分を日和見的に使用するためのデバイスについて説明する。本デバイスは、プロセッサと、プロセッサと電子通信しているメモリと、メモリに記憶された命令とを含み得る。命令は、マルチモードデバイスをＤＳＲＣスペクトルの外側で動作させることと、ＤＳＲＣスペクトルの少なくともその部分上のアクティビティレベルを検出することと、検出されたアクティビティレベルに少なくとも部分的に基づいて、ＤＳＲＣスペクトルの少なくともその部分を使用すべきかどうかを決定することとを行うためにプロセッサによって実行可能であり得る。
【００１４】
[0014]別の構成では、ＤＳＲＣスペクトルの少なくとも一部分を日和見的に使用するための装置について説明する。本装置は、マルチモードデバイスをＤＳＲＣスペクトルの外側で動作させるための手段と、ＤＳＲＣスペクトルの少なくともその部分上のアクティビティレベルを検出するための手段と、検出されたアクティビティレベルに少なくとも部分的に基づいて、ＤＳＲＣスペクトルの少なくともその部分を使用すべきかどうかを決定するための手段とを含み得る。
【００１５】
[0015]さらに別の構成では、ＤＳＲＣスペクトルの少なくとも一部分を日和見的に使用するためのコンピュータプログラム製品について説明する。本コンピュータプログラム製品は、プロセッサによって実行可能な命令を記憶する非一時的コンピュータ可読媒体を含み得る。命令は、マルチモードデバイスをＤＳＲＣスペクトルの外側で動作させることと、ＤＳＲＣスペクトルの少なくともその部分上のアクティビティレベルを検出することと、検出されたアクティビティレベルに少なくとも部分的に基づいて、ＤＳＲＣスペクトルの少なくともその部分を使用すべきかどうかを決定することとを行うためにプロセッサによって実行可能であり得る。
【００１６】
[0016]説明する方法および装置の適用性のさらなる範囲は、以下の発明を実施するための形態、特許請求の範囲、および図面から明らかになろう。発明を実施するための形態の趣旨および範囲内の様々な変更および改変が当業者に明らかになろうから、発明を実施するための形態および特定の例は例示として与えられるものにすぎない。
【図面の簡単な説明】
【００１７】
[0017]以下の図面を参照すれば、本発明の性質および利点のさらなる理解が得られ得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが明細書において使用される場合、その説明は、第２の参照ラベルにかかわらず、同じ第１の参照ラベルを有する同様の構成要素のうちのいずれか１つに適用可能である。
【図１】ワイヤレス通信システムのブロック図。
【図２】周波数スペクトルに沿った周波数帯域割振りを示す図。
【図３】様々な実施形態による、マルチモードデバイスの一例を示すブロック図。
【図４】様々な実施形態による、マルチモードデバイスの別の例を示すブロック図。
【図５】様々な実施形態による、マルチモードデバイスのさらに別の例を示すブロック図。
【図６】ＤＳＲＣスペクトルの使用を管理するためのマルチモードデバイスとアクセスポイントとの間の通信の一例を示すメッセージフロー図。
【図７】通信のために使用され得る周波数スペクトルに沿った様々な周波数帯域についての割振り帯域幅を示す図。
【図８】ＤＳＲＣスペクトルの少なくとも一部分を日和見的に使用するための方法の１つの実施形態を示すフローチャート。
【図９】ＤＳＲＣスペクトルの少なくとも一部分を日和見的に使用するための方法のさらなる実施形態を示すフローチャート。
【発明を実施するための形態】
【００１８】
[0027]情報およびデータは、利用可能な帯域幅の量に基づいてより迅速におよび効率的に転送され得る。帯域幅のサイズ（たとえば、幅）は、（たとえば、一般にヘルツ単位で測定される）周波数の連続範囲中の最高周波数と最低周波数との間の差であり得る。しばしば、データレート制限（たとえば、チャネル容量、転送され得る情報量）は帯域幅のサイズに比例する。たとえば、８０ＭＨｚの帯域幅は、４０ＭＨｚの帯域幅よりも高いデータレート制限を有することになる。その結果、より高いデータレートをサポートするために、より多くの帯域幅が必要とされ得る。帯域幅はスペクトル（たとえば、無線スペクトル）の少なくとも一部分を占有する。その結果、帯域幅の増加はスペクトルの増加を必要とする。しかしながら、追加のスペクトルを得ることは困難であり得る。
【００１９】
[0028]たいていの場合、スペクトル使用は規制されている（たとえば、割り振られている）。たとえば、米国では、スペクトル使用は連邦通信委員会（ＦＣＣ）によって規制されている。米国では、ＦＣＣは、５．１５〜５．２５ＧＨｚ（たとえば、Ｕ−ＮＩＩ  １）周波数帯域、５．２５〜５．３５ＧＨｚ（たとえば、Ｕ−ＮＩＩ  ２）周波数帯域、５．４７〜５．７２５ＧＨｚ（たとえば、Ｕ−ＮＩＩ  ＷＷ）周波数帯域、および５．７２５〜５．８２５ＧＨｚ（たとえば、Ｕ−ＮＩＩ  ３）周波数帯域を無免許全米インフラストラクチャ（Ｕ−ＮＩＩ）スペクトルとして割り振り、５．８５〜５．９２５ＧＨｚ周波数帯域を専用狭域通信（ＤＳＲＣ）スペクトルとして割り振っている。したがって、特定の使用のための帯域幅は、割り振られたスペクトル中の割り当てられた空間に制約され得る。その結果、割り振られたスペクトルの有限の制約により、利用可能な帯域幅（または、たとえば、データレート限界）を増加させることが可能でないことがある。特に、しかしながら、ＦＣＣは、最近、Ｕ−ＮＩＩユーザがＤＳＲＣユーザとＤＳＲＣスペクトルを共有することを可能にし、Ｕ−ＮＩＩユーザにとって利用可能な帯域幅を増加させるであろう、ＤＳＲＣスペクトルをＵ−ＮＩＩ使用のために利用可能にすることに関するコメントをその中で求めた規則制定案告示（ＮＰＲＭ）を発行した。
【００２０】
[0029]一例では、本明細書で説明するシステムおよび方法は、Ｕ−ＮＩＩスペクトル帯域中で動作するマルチモードデバイスが、帯域幅を増加させるためにＤＳＲＣスペクトル帯域を日和見的に使用することを可能にし得る。たとえば、本明細書で説明するシステムおよび方法は、Ｕ−ＮＩＩユーザ（たとえば、無免許Ｗｉ−Ｆｉユーザ）が、ＤＳＲＣスペクトル中のＤＳＲＣデバイスの存在を検出し、セカンダリユーザとして非破壊的な様式で近隣ＤＳＲＣスペクトルを共有することを可能にし得る。いくつかの構成では、マルチモードデバイスは、ＤＳＲＣデバイスへの干渉を低減または除去するための手段を講じ得る。
【００２１】
[0030]以下の説明は、例を与えるものであり、特許請求の範囲に記載された範囲、適用可能性、または構成を限定するものではない。本開示の趣旨および範囲から逸脱することなく、説明する要素の機能および構成において変更が行われ得る。様々な実施形態は、適宜に様々なプロシージャまたは構成要素を省略、置換、または追加し得る。たとえば、説明する方法は、説明する順序とは異なる順序で実行され得、様々なステップが追加、省略、または組み合わせられ得る。また、いくつかの実施形態に関して説明する特徴は、他の実施形態において組み合わせられ得る。
【００２２】
[0031]最初に図１を参照すると、図は、ワイヤレス通信システム１００の一例を示している。システム１００は、（たとえば、ＤＳＲＣ通信システム中の）ＤＳＲＣスペクトル内で動作するＤＳＲＣ基地局（または路側ユニット（ＲＳＵ：roadside unit））１０５とＤＳＲＣデバイス１１５とを含む。システム１００はまた、ＤＳＲＣスペクトルの外側で動作する通信基地局１２５と通信デバイス１３５とを含む。一例では、通信基地局１２５および通信デバイス１３５は（たとえば、Ｗｉ−Ｆｉ通信システム中の）Ｕ−ＮＩＩスペクトル中で動作し得る。
【００２３】
[0032]ＦＣＣは、最初に、ＤＳＲＣスペクトルを自動車使用（たとえば、インテリジェントトランスポートシステム）のために割り振った。ＤＳＲＣ通信の例は、車両用緊急警報、協調適応走行制御、協調衝突警報、交差点衝突回避、電子駐車支払い、車両内シグナリング、自動料金収受、等を含む。ＤＳＲＣ通信リンク１２０は、ＤＳＲＣデバイス１１５とＤＳＲＣ基地局１０５との間、またはＤＳＲＣデバイス１１５と別のＤＳＲＣデバイス１１５との間にあり得る。いくつかの場合では、ＤＳＲＣデバイス１１５間のＤＳＲＣ通信リンク１２０は、ＤＳＲＣ基地局１０５のカバレージエリア１１０の外側に生じ得る。いくつかの実施形態では、ＤＳＲＣ基地局１０５は、ワイヤードまたはワイヤレス通信リンクであり得るバックホールリンク１３４を介して、直接的または間接的のいずれかで、互いに通信し得る。
【００２４】
[0033]ＤＳＲＣデバイス１１５はワイヤレス通信システム１００全体にわたって分散され、各ＤＳＲＣデバイス１１５は固定または移動であり得る。ＤＳＲＣデバイス１１５は、車両、交通信号、踏切、基地局、セルラーフォン、携帯情報端末（ＰＤＡ）などであり得る。ＤＳＲＣデバイス１１５はＤＳＲＣ基地局１０５および他のＤＳＲＣデバイス１１５と通信することが可能であり得る。各ＤＳＲＣ基地局１０５はそれぞれのＤＳＲＣ地理的カバレージエリア１１０に通信カバレージを与え得る。
【００２５】
[0034]マルチモードデバイス（通信デバイスとも呼ばれる）１３５はまた、ワイヤレス通信システム１００にわたって分散され得る。各デバイス１３５はステイショナリーまたはモバイルであり得る。デバイス１３５は、当業者によって、Ｗｉ−Ｆｉデバイス、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。マルチモードデバイス１３５は、ＤＳＲＣ内で動作しようと試みるＷｉ−Ｆｉデバイスであり得る。デバイス１３５はまた、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。
【００２６】
[0035]通信デバイス１３５は、通信基地局１２５および／または他の通信デバイス１３５と通信することが可能であり得る。通信基地局１２５のサイトの各々は、それぞれの通信地理カバレージエリア１３０に通信カバレージを与え得る。通信リンク１４０は、通信デバイス１３５と通信基地局１２５および／または通信デバイス１３５との間の通信を与え得る。いくつかの実施形態では、通信基地局１２５は、基地トランシーバ局、無線基地局、アクセスポイント、無線トランシーバ、基本サービスセット（ＢＳＳ）、拡張サービスセット（ＥＳＳ）、ノードＢ、ｅノードＢ（ｅＮＢ）、ホームノードＢ、ホームｅノードＢ、または何らかの他の好適な用語で呼ばれることがある。通信基地局１２５のためのカバレージエリア１３０は、カバレージエリアの一部分のみを構成するセクタ（図示せず）に分割され得る。
【００２７】
[0036]ワイヤレス通信システム１００はまた、複数のキャリア（異なる周波数の波形信号）上での動作をサポートし得る。マルチキャリア送信機は、複数のキャリア上で同時に被変調信号を送信し得る。たとえば、各通信リンク１４０（および、たとえば、ＤＳＲＣ通信リンク１２０）は、様々な無線技術に従って変調されたマルチキャリア信号であり得る。変調された信号の各々は、異なるキャリア上で送られ得、制御情報（たとえば、基準信号、制御チャネルなど）、オーバーヘッド情報、データなどを搬送し得る。
【００２８】
[0037]図１に示されるように、通信基地局１２５のカバレージエリア１３０はＤＳＲＣ基地局１０５のカバレージエリア１１０とオーバーラップし得る。一般的なシナリオでは、ＤＳＲＣ通信システムはＤＳＲＣスペクトル中で動作しており、他の通信システムはＤＳＲＣスペクトルの外側で（たとえば、Ｕ−ＮＩＩスペクトル中で）動作しているので、オーバーラップするカバレージエリア（または、たとえば、１つまたは複数のカバレージエリアの外側でのオーバーラップする使用）は干渉を生じ得ない。しかしながら、いくつかの実施形態では、本明細書で説明するシステムおよび方法は、ＤＳＲＣ通信システムに対して干渉を生じ得る通信基地局１２５および／または通信デバイス１３５によるＤＳＲＣスペクトルの日和見的使用のための技法について説明する。一例では、マルチモード通信デバイス１３５（または単にマルチモードデバイス）は、ＤＳＲＣスペクトルの少なくとも一部分上のアクティビティレベルを検出し得、検出されたアクティビティレベルに少なくとも部分的に基づいてＤＳＲＣスペクトルを日和見的に使用し得る。追加または代替として、マルチモード通信デバイス１３５は、マルチモード通信デバイス１３５のロケーションがＤＳＲＣ送信に起因する地理的エリアの外側にあることに基づいて、ＤＳＲＣスペクトルの少なくとも一部分を日和見的に使用し得る。追加または代替として、マルチモード通信デバイス１３５は、ＤＳＲＣスペクトル内で動作するＤＳＲＣ基地局１０５またはＤＳＲＣデバイスの送信に優先度を譲るようにアクセスパラメータを適応させ得る。追加または代替として、マルチモード通信デバイス１３５は、ＤＳＲＣスペクトルの外側で動作している間第１のクロックレートを使用し得、ＤＳＲＣスペクトルを使用する送信を検出するために第２のクロックレートに切り替わり得る。
【００２９】
[0038]図２は、５ＧＨｚスペクトル２００中の様々なスペクトル割振りの例示的な概観を示す。図２に示されているように、５ＧＨｚスペクトル２００は、Ｕ−ＮＩＩ  １周波数帯域２０５（たとえば、５１７０〜５２５０ＭＨｚ）と、Ｕ−ＮＩＩ  ２周波数帯域２１０（たとえば、５２５０〜５３５０ＭＨｚ）と、Ｕ−ＮＩＩ  ＷＷ周波数帯域２１５（たとえば、５４７０〜５７２５ＭＨｚ）と、Ｕ−ＮＩＩ  ３周波数帯域２２０（たとえば、５７２５〜５８２５ＭＨｚ）と、ＤＳＲＣ周波数帯域２２５（たとえば、５８５０〜５９２５ＭＨｚ）とを含む。
【００３０】
[0039]各周波数帯域は、１つまたは複数のチャネルを使用するために割り振られ得る。各チャネルは帯域幅（たとえば、１０ＭＨｚ、２０ＭＨｚ、４０ＭＨｚ、８０ＭＨｚ、１６０ＭＨｚなど）を占有し得る。上述のように、増加した帯域幅はより高いデータレートを生じ得る。結果として、チャネルの数を増加させることおよび／またはチャネルの帯域幅を増加させることが望ましいことがある。残念ながら、スペクトル割振りはチャネルの数および／またはサイズを制限し得る。たとえば、（たとえば、８０ＭＨｚを占有する）Ｕ−ＮＩＩ  １周波数帯域２０５は、（たとえば、チャネルインデックス３６、４０、４４、および４８をもつ）最高４つの２０ＭＨｚチャネル２３０、最高２つの４０ＭＨｚチャネル２３５、または１つの８０ＭＨｚチャネル２４０をサポートし得る。同様に、Ｕ−ＮＩＩ２周波数帯域２１０は、（たとえば、チャネルインデックス５２、５６、６０、および６４をもつ）最高４つの２０ＭＨｚチャネル２３０、最高２つの４０ＭＨｚチャネル２３５、または１つの８０ＭＨｚチャネル２４０をサポートし得る。結果として、Ｕ−ＮＩＩ  １周波数帯域２０５とＵ−ＮＩＩ  ２周波数帯域２１０のいずれも、個々に１６０ＭＨｚチャネル２４５をサポートし得ない。いくつかのデバイス（たとえば、Ｗｉ−Ｆｉデバイス）はＵ−ＮＩＩ  １周波数帯域２０５とＵ−ＮＩＩ  ２周波数帯域２１０の両方にわたって動作し得る。結果として、Ｕ−ＮＩＩ  １周波数帯域２０５とＵ−ＮＩＩ  ２周波数帯域２１０とは、５１７０〜５３５０ＭＨｚ周波数帯域を生じるように効果的に組み合わせられ得る。したがって、１６０ＭＨｚチャネル２４５（たとえば、５１７０〜５３３０ＭＨｚ）がサポートされ得る。
【００３１】
[0040]図２に示されているように、Ｕ−ＮＩＩ  ３周波数帯域２２０（たとえば、５７２５〜５８２５ＭＨｚ）は、（たとえば、チャネルインデックス１４９、１５３、１５７、１６１、および１６５をもつ）最高５つの２０ＭＨｚチャネル２３０、最高２つの４０ＭＨｚチャネル２３５、または１つの８０ＭＨｚチャネル２４０をサポートし得る。一般に、ＤＳＲＣ周波数帯域２２５は、１０ＭＨｚチャネルを使用するＤＳＲＣ通信をサポートする。いくつかの場合では、本明細書で説明するシステムおよび方法は（たとえば、セカンダリユーザとして）ＤＳＲＣ周波数帯域を日和見的に使用し得る。１つの実施形態では、マルチモードデバイスは、それらがＤＳＲＣ送信に起因しないエリア中にあるときにＤＳＲＣスペクトルを使用し得る。その結果、Ｕ−ＮＩＩ  ３周波数帯域２２０とＤＳＲＣ周波数帯域２２５とは、５７２５〜５９２５ＭＨｚ周波数帯域を生じるように効果的に組み合わせられ得る。したがって、組み合わせられた周波数帯域は、（たとえば、チャネルインデックス１４９、１５３、１５７、１６１、１６５、１６９、１７３、１７７、および１８１をもつ）最高９つの２０ＭＨｚチャネル２３０と、最高４つの４０ＭＨｚチャネル２３５と、最高２つの８０ＭＨｚチャネル２４０と、最高１つの１６０ＭＨｚチャネル２４５とをサポートし得る。したがって、ＤＳＲＣスペクトルの共有は、利用可能なチャネルの数および／または利用可能なチャネルのサイズを実質的に増加させ得る。一例では、Ｕ−ＮＩＩ周波数帯域およびＤＳＲＣ周波数帯域にわたるスペクトル共有は、最高２９個の２０ＭＨｚチャネル２３０と、最高１４個の４０ＭＨｚチャネル２３５と、最高７つの８０ＭＨｚチャネル２４０と、最高３つの１６０ＭＨｚチャネル２４５とをサポートし得る。これらの増加は、（たとえば、より高いスループットを可能にする）増加したデータレートを可能にし得る。たとえば、増加したデータレートは、高精細度ビデオフォーマット（たとえば、超高精細度テレビジョン（ＵＨＤＴＶ））を送信するために使用され得る。
【００３２】
[0041]図３はデバイス１３５−ａのブロック図３００である。デバイス１３５−ａは、図１を参照しながら説明したマルチモードデバイス１３５の１つまたは複数の態様の一例であり得る。デバイス１３５−ａは、Ｗｉ−Ｆｉデバイス、パーソナルコンピュータ（たとえば、ラップトップコンピュータ、ネットブックコンピュータ、タブレットコンピュータなど）、携帯電話、携帯情報端末（ＰＤＡ）、デジタルビデオレコーダ（ＤＶＲ）、インターネットアプライアンス、ゲーミングコンソール、電子リーダーなどの構成のような、様々な構成のいずれかを有し得る。デバイス１３５−ａは、モバイル動作を容易にするために、小型バッテリーなどの内部電源（図示せず）を有し得る。
【００３３】
[0042]デバイス１３５−ａは、少なくとも１つのアンテナ（アンテナ３３５）と、少なくとも１つのトランシーバモジュール（トランシーバモジュール３３０）と、メモリ３１５と、プロセッサモジュール３１０とを含み得、その各々は、（たとえば、１つまたは複数のバスを介して）互いに直接または間接的に通信していることがある。トランシーバモジュール３３０は、図１に関して説明したように、アンテナ３３５ならびに／あるいは１つまたは複数のワイヤードもしくはワイヤレスリンクを介して、１つまたは複数のネットワークと双方向に通信するように構成され得る。たとえば、トランシーバモジュール３３０は、図１のアクセスポイント１２５あるいは他のマルチモードデバイス１３５のうちの１つまたは複数と双方向に通信するように構成され得る。トランシーバモジュール３３０は、パケットを変調し、変調されたパケットを送信のためにアンテナ３３５に与え、アンテナ３３５から受信されたパケットを復調するように構成された少なくとも１つのモデムを含み得る。デバイス１３５−ａは単一のアンテナを含み得るが、デバイス１３５−ａは、一般に、複数のリンクのための複数のアンテナを含むことになる。
【００３４】
[0043]メモリ３１５は、ランダムアクセスメモリ（ＲＡＭ）および／または読取り専用メモリ（ＲＯＭ）を含み得る。メモリ３１５は、実行されるとプロセッサモジュール３１０に本明細書で説明する様々な機能（たとえば、ＤＳＲＣスペクトル共有など）を実行させるように構成された命令を含んでいるコンピュータ可読、コンピュータ実行可能ソフトウェアコード３２０を記憶し得る。代替的に、ソフトウェアコード３２０は、プロセッサモジュール３１０によって直接的に実行可能でないことがあるが、（たとえば、コンパイルされ実行されると）デバイス１３５−ａに本明細書で説明する機能を実行させるように構成され得る。
【００３５】
[0044]プロセッサモジュール３１０は、インテリジェントハードウェアデバイス、たとえば、中央処理ユニット（ＣＰＵ）、マイクロ制御器、特定用途向け集積回路（ＡＳＩＣ）などを含み得る。プロセッサモジュール３１０は、マイクロフォンを介してオーディオを受信し、そのオーディオを、受信したオーディオを表す（たとえば、長さ３０ｍｓの）パケットに変換し、そのオーディオパケットをトランシーバモジュール３３０に与え、ユーザが話しているかどうかのインジケーションを与えるように構成された、音声符号化器（図示せず）を含み得る。代替的に、符号化器はパケットのみをトランシーバモジュール３３０に与え、パケット自体の供給または抑制／抑圧が、ユーザが話しているかどうかのインジケーションを与え得る。
【００３６】
[0045]図３のアーキテクチャによれば、デバイス１３５−ａはさらに、通信管理モジュール３２５を含み得る。通信管理モジュール３２５は、他のデバイス１３５との通信を管理し得る。例の目的で、通信管理モジュール３２５は、バスを介してマルチモードデバイス１３５−ａの他の構成要素の一部または全部と通信しているマルチモードデバイス１３５−ａの構成要素であり得る。代替的に、通信管理モジュール３２５の機能は、トランシーバモジュール３３０のうちの１つまたは複数の構成要素として、コンピュータプログラム製品として、および／またはプロセッサモジュール３１０の１つまたは複数の制御器要素として実装され得る。
【００３７】
[0046]デバイス１３５−ａはさらに、ＤＳＲＣスペクトル共有モジュール３０５を含み得る。スペクトル共有モジュール３０５は、ＤＳＲＣスペクトルのデバイスの日和見的使用を管理し得る。モジュール３０５は、多数のファクタに基づいてＤＳＲＣスペクトル内で動作するための決定を行い得る。たとえば、モジュール３０５は、ＤＳＲＣスペクトルの少なくとも一部分上で検出されたアクティビティレベル（たとえば、ＤＳＲＣスペクトルの少なくともその部分を使用する他のデバイスの検出されたアクティビティレベル）に基づいてＤＳＲＣスペクトル内での動作を許容し得る。さらなる例として、モジュール３０５は、ＤＳＲＣスペクトルを使用したマルチモードデバイス１３５−ａの送信によって引き起こされる干渉のレベルがしきい値干渉レベルを下回るかどうかを決定し、干渉のレベルがしきい値干渉レベルを下回るときにのみＤＳＲＣスペクトル使用を許す。
【００３８】
[0047]ＤＳＲＣスペクトル共有モジュール３０５は、ＤＳＲＣスペクトル中で動作するデバイスのアクティビティを検出するために、デバイス１３５−ａの１つまたは複数のパラメータまたは動作を変更し得る。ＤＳＲＣスペクトル中で動作している間、モジュール３０５はデバイス１３５−ａの１つまたは複数の通信パラメータを変更し得る。これらのパラメータは、いくつかの場合では、ＤＳＲＣ送信に起因するデバイスから発信した通信に優先度を与えるために変更され得る。変更されたパラメータは、たとえば、デバイス１３５−ａの送信電力レベルまたはアンテナ構成を含み得る。
【００３９】
[0048]デバイス１３５−ａの構成要素は、個別にまたは集合的に、ハードウェア中の適用可能な機能の一部または全部を実行するように適応された１つまたは複数の特定用途向け集積回路（ＡＳＩＣ）を用いて実装され得る。代替的に、機能は、１つまたは複数の他の処理ユニット（またはコア）によって、１つまたは複数の集積回路上で実行され得る。他の実施形態では、当技術分野で知られている任意の方式でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。言及されたモジュールの各々は、デバイス１３５−ａの動作に関係する１つまたは複数の機能を実行するための手段であり得る。
【００４０】
[0049]図４は、ＤＳＲＣスペクトルの少なくとも一部分を日和見的に使用し得るデバイス１３５−ｂの一例を示すブロック図４００である。デバイス１３５−ｂは、図１および／または図３を参照して説明したマルチモードデバイス１３５の１つまたは複数の態様の一例であり得る。デバイス１３５−ｂは、受信機モジュール４０５、ＤＳＲＣスペクトル共有モジュール３０５−ａ、および／または送信機モジュール４２５を含み得る。これらの構成要素の各々は互いに通信中であり得る。
【００４１】
[0050]デバイス１３５−ｂの構成要素は、個別にまたは集合的に、ハードウェア中の適用可能な機能の一部または全部を実行するように適応された１つまたは複数の特定用途向け集積回路（ＡＳＩＣ）を用いて実装され得る。代替的に、機能は、１つまたは複数の他の処理ユニット（またはコア）によって、１つまたは複数の集積回路上で実行され得る。他の実施形態では、当技術分野で知られている任意の様式でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００４２】
[0051]受信機モジュール４０５は、Ｗｉ−Ｆｉ受信機を含み得、様々なＷｉ−Ｆｉ信号を受信し得る。受信機モジュール４０５はまた、セルラー受信機を含み得、いくつかの場合ではＬＴＥ／ＬＴＥ−Ａ受信機を含み得る。受信機モジュール４０５は、図１を参照しながら説明したワイヤレス通信システム１００など、ワイヤレス通信システムを介して、様々なタイプのデータおよび／または制御信号を受信するために使用され得る。受信機モジュール４０５は、ＤＳＲＣスペクトルの少なくとも一部分を使用してデータおよび／または制御信号を受信するようにさらに構成され得る。
【００４３】
[0052]送信機モジュール４２５はＷｉ−Ｆｉ送信機をも含み得る。Ｗｉ−Ｆｉ送信機は、Ｗｉ−Ｆｉ接続上で信号を送ることが可能であり得る。送信機モジュール４２５はまた、セルラー送信機を含み得、いくつかの場合ではＬＴＥ／ＬＴＥ−Ａ送信機を含み得る。送信機モジュール４２５は、ワイヤレス通信システム１００などのワイヤレス通信システムを介して、様々なタイプのデータおよび／または制御信号を送信するために使用され得る。送信機モジュール４２５は、ＤＳＲＣスペクトルの少なくとも一部分を使用してデータおよび／または制御信号を送信するようにさらに構成され得る。
【００４４】
[0053]ＤＳＲＣスペクトル共有モジュール３０５−ａは、図３を参照しながら説明したＤＳＲＣスペクトル共有モジュール３０５の１つまたは複数の態様の一例であり得る。いくつかの実施形態では、モジュール３０５は、アクティビティ検出モジュール４１０、スペクトル共有管理モジュール４１５、および／または通信モジュール４２０を含み得る。アクティビティ検出モジュール４１０は、ＤＳＲＣスペクトルの少なくとも一部分上のアクティビティレベルを検出するためにデバイス１３５−ｂによって使用され得る。次いで、ＤＳＲＣスペクトル共有管理モジュール４１５は、アクティビティ検出モジュール４１０によって決定された検出されたアクティビティレベルに少なくとも部分的に基づいて、ＤＳＲＣスペクトルの少なくともその部分を使用すべきかどうかを決定し得る。１つの実施形態では、ＤＳＲＣスペクトルの少なくともその部分上の検出されたアクティビティレベルが高い場合、またはＤＳＲＣスペクトルを使用したデバイス１３５−ｂの送信によって引き起こされる干渉のレベルがしきい値干渉レベルを上回る（たとえば、デバイス１３５−ｂがＤＳＲＣデバイスの送信に干渉し得る）とデバイス１３５−ｂが決定した場合、ＤＳＲＣスペクトル共有管理モジュール４１５は、ＤＳＲＣスペクトルを使用しないことを決定し得、デバイス１３５−ｂはＤＳＲＣスペクトルの外側で動作し続け得る。他の場合、デバイス１３５−ｂは、ＤＳＲＣスペクトルを使用することに進み得、いくつかの場合ではＤＳＲＣスペクトルと非ＤＳＲＣスペクトルの両方を協調的に使用し得る。
【００４５】
[0054]図５は、ＤＳＲＣスペクトルの少なくとも一部分を日和見的に使用し得るデバイス１３５−ｃの一例を示すブロック図５００である。デバイス１３５−ｃは、図１、図３および／または図４を参照しながら説明したマルチモードデバイス１３５の１つまたは複数の態様の一例であり得る。デバイス１３５−ｃは、受信機モジュール４０５、ＤＳＲＣスペクトル共有モジュール３０５−ｂ、および／または送信機モジュール４２５を含み得る。これらの構成要素の各々は互いに通信中であり得る。
【００４６】
[0055]デバイス１３５−ｃの構成要素は、個別にまたは集合的に、ハードウェア中の適用可能な機能の一部または全部を実行するように適応された１つまたは複数の特定用途向け集積回路（ＡＳＩＣ）を用いて実装され得る。代替的に、機能は、１つまたは複数の他の処理ユニット（またはコア）によって、１つまたは複数の集積回路上で実行され得る。他の実施形態では、当技術分野で知られている任意の方式でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００４７】
[0056]１つの実施形態では、受信機モジュール４０５および送信機モジュール４２５は、図３を参照しながら前に説明したように動作するように構成され得る。ＤＳＲＣスペクトル共有モジュール３０５−ｂは、アクティビティ検出モジュール４１０−ａ、スペクトル共有管理モジュール４１５−ａ、および／または通信モジュール４２０−ａを含み得る。これらの構成要素の各々は、図４を参照しながら説明したアクティビティ検出モジュール４１０、スペクトル共有管理モジュール４１５、および通信モジュール４２０のそれぞれの１つまたは複数の態様の一例であり得る。
【００４８】
[0057]スペクトル共有管理モジュール４１５−ａは、デバイス１３５−ｃにＤＳＲＣスペクトルの少なくとも一部分上のアクティビティレベルを検出するために周期的にＤＳＲＣスペクトルをスキャンさせる、スキャンモジュール５４５を含み得る。スキャンの結果として、受信機モジュール４０５は、デバイス１３５−ｃを対象としない信号を含む、様々な信号を受信し得る。アクティビティ検出モジュール４１０−ａは、ＤＳＲＣスペクトルの少なくともその部分上のアクティビティレベルを検出するためにこれらの信号を処理し得る。いくつかの場合では、ＤＳＲＣスペクトルは、デバイス１３５−ｃが（たとえば、高精細度ビデオストリーミングのための）より多くのまたはより広い帯域幅を必要とするときにのみスキャンされる。デバイス１３５−ｃがより多くのまたはより広い帯域幅を必要としないとき、ＤＳＲＣスペクトルをスキャンしないことによって電力が節約され得る。
【００４９】
[0058]アクティビティ検出モジュール４１０−ａは、いくつかの場合では第１の相関器５０５と第２の相関器５１５とを含み得る。相関器５０５、５１５の各々は受信機モジュール４０５を介して入来信号を受信し得る。第１の相関器５０５は、入来信号がＷｉ−Ｆｉ信号を含むかどうかを決定するために、Ｗｉ−Ｆｉ波形モジュール５１０によって与えられたＷｉ−Ｆｉ波形を入来信号と相関させようと試み得る。第２の相関器５１５は、入来信号がＤＳＲＣ信号を含むかどうかを決定するために、ＤＳＲＣ波形モジュール５２０によって与えられたＤＳＲＣ波形（たとえば、ＤＳＲＣパケットプリアンブル波形）を入来信号と相関させようと試み得る。ＤＳＲＣ信号はまた、それらの送信の帯域幅の差によりＷｉ−Ｆｉ信号と区別され得る。入来信号がＤＳＲＣ信号を含むと決定されたとき、ＤＳＲＣパケット検出モジュール５２５が、ＤＳＲＣスペクトル中の１つまたは複数のパケットの送信を検出し、１つまたは複数のパケットの各々がＤＳＲＣパケットであるかどうかを決定し得る。パケットがＤＳＲＣパケットであるかどうかを決定するために、ＤＳＲＣパケット検出モジュール５２５は、いくつかの場合では第２の相関器５１５によって識別されたＤＳＲＣパケットプリアンブルを分析し得る。ＤＳＲＣパケット検出モジュール５２５はまた、復号モジュール５３０から受信した情報に依拠し得る。復号モジュール５３０は、信号フィールドデコーダ５３５とデータフィールドデコーダ５４０とを含み得る。信号フィールドデコーダ５３５は、パケットの長さを決定するためにパケットの信号フィールドを復号し、データフィールドデコーダ５４０は、パケットに関するより多くの情報を決定するためにパケットのデータフィールドを復号し得る。復号モジュール５３０によって得られた情報は、ＤＳＲＣパケットの存在を確認する目的でＤＳＲＣパケット検出モジュール５２５に与えられ得る。ＤＳＲＣパケット検出モジュール５２５は、同じくまたは代替的に、エネルギー検出の手段によってパケットがＤＳＲＣパケットであるかどうかを決定し得、したがって、エネルギー検出モジュール５８０を含み得る。エネルギー検出モジュール５８０は、たとえば、いくつかのタイムスロットの各々中の受信されたエネルギーレベルを検出することと、エネルギーがＤＳＲＣスペクトル中に存在する（ＤＳＲＣスペクトル中のパケットの送信を示す）ときまたはエネルギーがＤＳＲＣスペクトル中に存在しない（ＤＳＲＣスペクトルが使用されていないことを示す）ときを決定することとによって、ＤＳＲＣスペクトル中のエネルギーレベルを検出し得る。エネルギー検出は、一般に、送信がＤＳＲＣスペクトル中で行われている（または、パケットが送信されている）かどうかを決定するより粗い方法である。
【００５０】
[0059]次にスペクトル共有管理モジュール４１５−ａに戻ると、モジュール４１５−ａはレポートモジュール５５５をさらに含み得る。レポートモジュール５５５は、アクティビティ検出モジュール４１０−ａからＤＳＲＣスペクトルの少なくとも部分の少なくとも１つのスキャンの結果を含むレポートを受信し得、レポートがアクセスポイントまたは他のマルチモードデバイス（たとえば、図１を参照しながら説明したアクセスポイント１２５またはマルチモードデバイス１３５のうちの１つ）に送信されるようにし得る。
【００５１】
[0060]スペクトル共有管理モジュール４１５−ａは能力モジュール５５０をさらに含み得る。能力モジュール５５０は、アクセスポイント１２５または他のマルチモードデバイス１３５から、ＤＳＲＣスペクトルを使用するアクセスポイントまたは他のマルチモードデバイスの能力を示す情報を含む送信を受信するように構成され得る。能力モジュール５５０はまた、ＤＳＲＣスペクトルを使用するデバイス１３５−ｃの能力を示すシグナリング情報を（たとえば、アクセスポイント１２５または他のマルチモードデバイス１３５に）送るように構成され得る。
【００５２】
[0061]スペクトル共有管理モジュール４１５−ａはまた、決定モジュール５６０を含み得る。決定モジュール５６０は、ＤＳＲＣスペクトルの少なくともその部分を使用すべきかどうかを決定し得る。決定は、ＤＳＲＣスペクトルの少なくともその部分上の検出されたアクティビティレベルに少なくとも部分的に基づき得る。決定はまた、ＤＳＲＣスペクトルの少なくともその部分の使用が許されたことを示す（たとえば、アクセスポイント１２５または他のマルチモードデバイス１３５からの）命令の受信に基づき得る。ＤＳＲＣスペクトルの少なくともその部分上の検出されたアクティビティレベルが高すぎる場合、ＤＳＲＣスペクトルの使用は許されないことがある。
【００５３】
[0062]ＤＳＲＣスペクトルの使用が許されたとき、ＤＳＲＣデバイスの送信に干渉しないように使用を調節または中止することが望ましいことがある。この点について、決定モジュール５６０は、干渉管理モジュール５６５、しきい値干渉レベル５７０、および／または電力レベル選択モジュール５７５を含み得る。干渉管理モジュール５６５は、ＤＳＲＣスペクトルを使用したマルチモードデバイス１３５−ｃの送信によって引き起こされる干渉のレベルがしきい値干渉レベルを下回るかどうかを決定し得る。そうである場合、デバイス１３５−ｃは、ＤＳＲＣスペクトル中の送信を続けることを許され得る。そうでない場合には、デバイスの送信は調節または終了され得る。たとえば、１つの実施形態では、干渉のレベルが１つまたは複数の異なる送信電力レベルに対してしきい値干渉レベルを下回るかどうかを決定し得、下回る場合、電力レベル選択モジュール５７５を使用して、送信電力レベルのうちの適切な１つがＤＳＲＣ送信のために選択され得る。他の実施形態では、干渉のレベルがデバイス１３５−ｃの１つまたは複数の異なるアンテナ構成に対してしきい値干渉レベルを下回るかどうかを決定し得、下回る場合、アンテナ構成のうちの適切な１つがＤＳＲＣ送信のために選択され得る。しきい値干渉レベル５７０は静的または動的であり得る。たとえば、いくつかの場合では、しきい値干渉レベルはデバイス１３５−ｃの地理的ロケーションに少なくとも部分的に基づき得る。しきい値干渉レベルは、より多くのＤＳＲＣアクティビティが予想される地理的ロケーション（たとえば、都市の中または主要道路の近く）に対してより高く、より少ないＤＳＲＣアクティビティが予想される地理的ロケーションに対してより低く設定され得る。
【００５４】
[0063]次に通信モジュール４２０−ａを参照すると、モジュール４２０−ａはチャネル管理モジュール５８５を含み得る。チャネル管理モジュール５８５は、デバイス１３５−ｃをＤＳＲＣスペクトルの外側および／または内側で動作させるために１つまたは複数の通信チャネルを確立し得る。たとえば、チャネル管理モジュール５８５は、最初に、デバイス１３５−ｃをＤＳＲＣスペクトルの外側で動作させるための第１の通信チャネルを確立し得る。次いで、決定モジュール５６０が、ＤＳＲＣスペクトルの少なくとも一部分の使用が許されたと決定すると、チャネル管理モジュール５８５は第２の通信チャネルを確立し得、第２の通信チャネルの少なくとも一部分はＤＳＲＣスペクトル内にある。チャネル管理モジュール５８５は、第２の通信チャネルを確立した後、第１の通信チャネルを維持し得る。このことは、デバイス１３５−ｃのＤＳＲＣ使用がＤＳＲＣデバイスのＤＳＲＣ使用に干渉した場合に、デバイス１３５−ｃが第２の通信チャネルの使用をより容易に終了することを可能にし得る。
【００５５】
[0064]図６は、マルチモードデバイス１３５−ｄとアクセスポイント１２５−ａとの間の通信の一例を示すメッセージフロー図６００である。マルチモードデバイス１３５−ｄは、図１、図３、図４、および／または図５を参照しながら説明したマルチモードデバイス１３５のうちの１つまたは複数の態様の一例であり得る。アクセスポイント１２５−ａは、図１を参照しながら説明したアクセスポイント１２５のうちの１つまたは複数の態様の一例であり得る。いくつかの実施形態では、アクセスポイント１２５−ａの機能は別のマルチモードデバイス１３５によって実行され得る。
【００５６】
[0065]メッセージフローは、マルチモードデバイス１３５−ｄが、アクセスポイント１２５−ａから、ＤＳＲＣスペクトルを使用するアクセスポイント１２５−ａの能力を示す情報を含む送信６０５を受信することで始まり得る。代替実施形態では、送信６０５はメッセージフローの後半に行われ得る。
【００５７】
[0066]ある時点において、マルチモードデバイス１３５−ｄは、ＤＳＲＣスペクトルの外側の第１の通信チャネルを確立し得６１０、第１の通信チャネルを使用してアクセスポイント１２５−ａと通信すること６１５に進み得る。マルチモードデバイス１３５−ｄが対象とする通信に加えて、マルチモードデバイス１３５−ｄは、ＤＳＲＣスペクトルを使用するそれの能力を示すシグナリング情報６３０をアクセスポイント１２５−ａに送り得る。
【００５８】
[0067]ある時点において、マルチモードデバイス１３５−ｄは、ＤＳＲＣスペクトルの少なくとも一部分上のアクティビティレベルを検出し得る６２５。アクティビティレベルは、いくつかの場合では、アクティビティレベルを検出するためにＤＳＲＣスペクトルを周期的にスキャンすることによって検出され得る。検出されたアクティビティレベルは、第１の通信チャネルを使用してアクセスポイント１２５−ａにレポートされ得る６３０。いくつかの場合では、このことは、ＤＳＲＣスペクトルのスキャンの少なくとも１つの結果を含むレポートを送信することを伴い得る。
【００５９】
[0068]アクセスポイント１２５−ｂは、マルチモードデバイス１３５−ｄによってレポートされた検出されたアクティビティレベルを分析し、ＤＳＲＣスペクトルの少なくともその部分の使用に関してマルチモードデバイス１３５−ｄにどんな命令を与えるべきかを決定する際に、検出されたアクティビティレベルを使用し得る。ＤＳＲＣスペクトルの少なくともその部分の使用が許されたとき、マルチモードデバイス１３５−ｄはこの趣旨の命令６３５を受信し得る。命令６３５は、第１の通信チャネルを介してマルチモードデバイス１３５−ｄにおいて受信され得る。
【００６０】
[0069]マルチモードデバイス１３５−ｄは、ＤＳＲＣ使用のための命令６３５を使用し、ＤＳＲＣスペクトルの少なくとも一部分を使用して動作することが許されるかどうかを決定し得る６４０。マルチモードデバイス１３５−ｄがＤＳＲＣスペクトル内で動作することを許されたことを命令が示す場合、マルチモードデバイス１３５−ｄは第２の通信チャネルを確立し得る６４５。第２の通信チャネルは、アクセスポイント１２５−ａを用いて確立され得るが、第１の通信チャネルとは異なり、第２の通信チャネルの少なくとも一部分はＤＳＲＣスペクトル内にあり得る。次いで、マルチモードデバイス１３５−ｄおよびアクセスポイント１２５−ａは、第１の通信チャネルおよび／または第２の通信チャネルを使用した通信６５０に従事し得る。
【００６１】
[0070]図７に、５ＧＨｚスペクトル７００中の様々なスペクトル割振りとマルチモードデバイス１３５によるＤＳＲＣスペクトルの使用との例示的な概観を示す。前に説明したように、スペクトル７００は、スペクトル７００に沿った周波数帯域の異なる割振りを含み得る。１つの構成では、各周波数帯域割振りは一定数の周波数チャネルを使用し得る。各チャネルはある量の帯域幅を占有し得る。図示のように、Ｕ−ＮＩＩ  １周波数帯域２０５は、最高４つの２０ＭＨｚチャネル２３０、２つの４０ＭＨｚチャネル２３５、または１つの８０ＭＨｚチャネル２４０をサポートし得る。同様に、Ｕ−ＮＩＩ  ２周波数帯域２１０は、最高４つの２０ＭＨｚチャネル２３０、２つの４０ＭＨｚチャネル２３５、または１つの８０ＭＨｚチャネル２４０をサポートし得る。前に述べたように、Ｕ−ＮＩＩ  １周波数帯域２０５とＵ−ＮＩＩ  ２周波数帯域２１０のいずれも、個々に１６０ＭＨｚチャネル７０５−ａ−１をサポートし得ない。しかしながら、マルチモードデバイス１３５は帯域２０５と帯域２１０の両方にわたって動作し得るので、デバイスは両方の周波数帯域にわたる１６０ＭＨｚチャネルを効果的に使用し得る。
【００６２】
[0071]さらに示されているように、Ｕ−ＮＩＩ  ＷＷ帯域２１５は１６０ＭＨｚチャネル７０５−ａ−２をサポートし得る。また、１６０ＭＨｚチャネル７０５−ａ−３が、Ｕ−ＮＩＩ  ３周波数帯域２２０とＤＳＲＣ周波数帯域２２５とのための帯域にわたってサポートされ得る。１つの実施形態では、マルチモードデバイス１３５は、ＤＳＲＣスペクトルの使用が許可されたエリア中にそれがあると決定したとき、ＤＳＲＣスペクトル２２５少なくとも一部分を使用し得る。その結果、デバイス１３５は、Ｕ−ＮＩＩ  １帯域２０５とＵ−ＮＩＩ  ２帯域２１０とにわたる１６０ＭＨｚチャネル７０５−ａ−１、Ｕ−ＮＩＩ  ＷＷ帯域２１５中の１６０ＭＨｚチャネル７０５−ａ−２、ならびにＵ−ＮＩＩ  ３スペクトル２２０とＤＳＲＣスペクトル２２５とにわたる１６０ＭＨｚチャネル７０５−ａ−３上で動作し得るので、デバイス１３５の送信のための帯域幅は増加させられ得る。マルチモードデバイス１３５の送信のための帯域幅のこの増加は、より高いスループットを可能にし得る増加したデータレートを可能にし得る。
【００６３】
[0072]図８は、ＤＳＲＣスペクトルの少なくとも一部分を日和見的に使用するための方法８００の１つの実施形態を示すフローチャートである。明確のために、方法８００は、図１、図３、図４、図５、および／または図６を参照しながら説明したマルチモードデバイス１３５のうちの１つまたは複数の態様に関して以下で説明する。一実装形態では、図３、図４、および／または図５を参照しながら説明したＤＳＲＣスペクトル共有モジュール３０５は、以下で説明される機能を実行するためにマルチモードデバイス１３５の機能要素を制御するためのコードの１つまたは複数のセットを実行し得る。
【００６４】
[0073]ブロック８０５において、マルチモードデバイス１３５がＤＳＲＣスペクトルの外側で動作する。例として、マルチモードデバイス１３５は、Ｗｉ−Ｆｉスペクトルなど、ＤＳＲＣスペクトルに隣接するスペクトル中でマルチモードデバイス１３５を動作させることによって、ＤＳＲＣスペクトルの外側のスペクトル中で動作させられ得る。いくつかの実施形態では、図４および／または図５を参照しながら説明した通信モジュール４２０は、マルチモードデバイス１３５をＤＳＲＣスペクトルの外側で動作させるために使用され得る。
【００６５】
[0074]ブロック８１０において、ＤＳＲＣスペクトルの少なくとも一部分上のアクティビティレベルを検出する。いくつかの実施形態では、アクティビティレベルは、図４および／または図５を参照しながら説明したアクティビティ検出モジュール４１０を使用して検出され得る。
【００６６】
[0075]ブロック８１５において、ＤＳＲＣスペクトルの少なくともその部分を使用すべきかどうかに関する決定を行う。決定は、検出されたアクティビティレベルに少なくとも部分的に基づき得る。いくつかの実施形態では、ブロック８１５において行われる決定は、図４および／または図５を参照しながら説明したスペクトル共有管理モジュール４１５または図５を参照しながら説明した決定モジュール５６０を使用して行われ得る。
【００６７】
[0076]したがって、方法８００は、ＤＳＲＣスペクトルの少なくとも一部分を日和見的に使用するために使用され得る。方法８００は一実装形態にすぎないこと、および方法８００の動作は、他の実装形態が可能であるように、並べ替えられるかまたはいくつかの場合では修正され得ることに留意されたい。
【００６８】
[0077]図９は、ＤＳＲＣスペクトルの少なくとも一部分を日和見的に使用するための方法９００のさらなる実施形態を示すフローチャートである。明確にするため、方法９００について、図１、図３、図４、図５、および／または図６を参照して説明したマルチモードデバイス１３５のうちの１つまたは複数の態様に関して以下で説明する。一実装形態では、図３、図４、および／または図５を参照しながら説明したＤＳＲＣスペクトル共有モジュール３０５は、以下で説明される機能を実行するためにマルチモードデバイス１３５の機能要素を制御するためのコードの１つまたは複数のセットを実行し得る。
【００６９】
[0078]ブロック９０５において、マルチモードデバイス１３５は第１の通信チャネルを確立する。ブロック９１０において、マルチモードデバイス１３５は、次いで、ＤＳＲＣスペクトルの外側で動作する。例として、第１の通信チャネルは、Ｗｉ−Ｆｉスペクトルなど、ＤＳＲＣスペクトルに隣接するスペクトル中に確立され得、マルチモードデバイス１３５は、マルチモードデバイス１３５をＤＳＲＣスペクトルに隣接するスペクトル中で動作させることによって、ＤＳＲＣスペクトルの外側で動作させられ得る。いくつかの実施形態では、図４および／または図５を参照しながら説明した通信モジュール４２０は、第１の通信チャネルを確立するおよび／またはマルチモードデバイス１３５をＤＳＲＣスペクトルの外側で動作させるために使用され得る。
【００７０】
[0079]ブロック９１５において、ＤＳＲＣスペクトル中のパケットの送信を検出する。次いで、ブロック９２０において、パケットがＤＳＲＣパケットであるかどうかを決定する。パケットがＤＳＲＣパケットであるかどうかについて決定することは、いくつかの場合では、パケットのプリアンブルを分析することと、分析されたプリアンブルの１つまたは複数の特性に少なくとも部分的に基づいて、パケットがＤＳＲＣパケットであると決定することとを含み得る。パケットがＤＳＲＣパケットでないと決定されたとき、ブロック９２０は、方法９００のフローをブロック９１５に戻すように動作し得る。しかしながら、パケットがＤＳＲＣパケットであると決定されたとき、ブロック９２０は、方法９００がブロック９２５に進むことを可能にし得る。いくつかの実施形態では、ブロック９１５および９２０における動作は、図５を参照しながら説明したＤＳＲＣパケット検出モジュール５２５を使用して実行され得る。
【００７１】
[0080]ブロック９２５において、ＤＳＲＣスペクトルの少なくとも一部分上のアクティビティレベルを検出する。いくつかの場合では、アクティビティレベルは、ブロック９１５および９２０において行われた検出および決定に少なくとも部分的に基づいて検出され得る。代替または追加として、アクティビティレベルは、たとえば、ＤＳＲＣスペクトル中のエネルギーレベルを検出することによって検出され得る。いくつかの実施形態では、アクティビティレベルは、図４および／または図５を参照しながら説明したアクティビティ検出モジュール４１０を使用して検出され得る。
【００７２】
[0081]ブロック９３０において、ＤＳＲＣスペクトルを使用したマルチモードデバイス１３５の送信によって引き起こされる干渉のレベルがしきい値干渉レベルを下回るかどうかを決定することによって、ＤＳＲＣスペクトルを使用すべきかどうかを決定する。いくつかの場合では、このことは、干渉のレベルが１つまたは複数の異なる送信電力レベルに対してしきい値干渉レベルを下回るかどうかを決定することを含み得る。他の場合には、このことは、干渉のレベルがマルチモードデバイス１３５の１つまたは複数の異なるアンテナ構成に対してしきい値干渉レベルを下回るかどうかを決定することを含み得る。
【００７３】
[0082]ブロック９３０において使用されるしきい値干渉レベルは、いくつかの場合では動的であり得る。たとえば、しきい値干渉レベルは、いくつかの場合ではマルチモードデバイス１３５の地理的ロケーションに少なくとも部分的に基づき得る。
【００７４】
[0083]ＤＳＲＣスペクトルを使用したマルチモードデバイス１３５の送信によって引き起こされる干渉のレベルがしきい値干渉レベルを上回ると決定されたとき、ブロック９３５は方法９００のフローをブロック９１０に戻すように動作し得る。しかしながら、ＤＳＲＣスペクトルを使用した送信によって引き起こされる干渉のレベルがしきい値干渉レベルを下回ると決定されたとき、ブロック９２０は方法９００がブロック９４０に進むことを可能にし得る。
【００７５】
[0084]いくつかの実施形態では、ブロック９３０および９３５において実行される動作は、図５を参照しながら説明した決定モジュール５６０を使用して実行され得る。
【００７６】
[0085]ブロック９４０において、ＤＳＲＣスペクトルの少なくともその部分を使用すべきかどうかに関する決定を行う。決定は、検出されたアクティビティレベルに少なくとも部分的に基づき得る。ＤＳＲＣスペクトルの少なくともその部分を使用しないことが決定されたとき、ブロック９４５は、方法９００のフローをブロック９１０に戻すように動作し得る。しかしながら、ＤＳＲＣスペクトルの少なくともその部分を使用することが決定されたとき、ブロック９４５は方法９００がブロック９５０に進むことを可能にし得る。いくつかの実施形態では、ブロック９４０および９４５における動作は、図４および／または図５を参照しながら説明したスペクトル共有管理モジュール４１５または図５を参照しながら説明した決定モジュール５６０を使用して実行され得る。
【００７７】
[0086]ブロック９５０において、送信（たとえば、マルチモードデバイス１３５へのまたはそこからの送信）のために第２の通信チャネルを確立する。第２の通信チャネルの少なくとも一部分はＤＳＲＣスペクトル内にあり得る。ある場合には、第１の通信チャネルは、第２の通信チャネルが確立されたかどうかにかかわらず維持され得る（たとえば、第１の通信チャネルは、第２の通信チャネルを使用して送信が行われる間、維持され得る）。いくつかの場合では、送信は、第１の通信チャネルと第２の通信チャネルの両方を使用して行われ得る。いくつかの実施形態では、ブロック９５０おける動作は、図４および／または図５を参照しながら説明した通信モジュール４２０または図５を参照しながら説明したチャネル管理モジュール５８５を使用して実行され得る。
【００７８】
[0087]ブロック９５５において、ＤＳＲＣスペクトル中の送信が終了したかどうかを決定する。送信が終了していないと決定されたとき、ブロック９５５は、方法９００にブロック９１５において行われる決定を繰り返させ（たとえば、ループさせ）得る。決定は、たとえば、周期的にまたは１つまたは複数のイベントの発生時に繰り返され得る。送信が終了したと決定されたとき、ブロック９５５は方法９００がブロック９６０に進むことを可能にし得る。
【００７９】
[0088]ブロック９６０において、第２の通信チャネル（すなわち、ＤＳＲＣスペクトル中に確立された通信チャネル）の使用を終了し、方法９００のフローはブロック９１０に戻り得る。いくつかの場合では、第１の通信チャネルは、第２の通信チャネルの終了にかかわらず維持され得る。いくつかの実施形態では、ブロック９５５および９６０における動作は、図４および／または図５を参照しながら説明した通信モジュール４２０または図５を参照しながら説明したチャネル管理モジュール５８５を使用して実行され得る。
【００８０】
[0089]したがって、方法９００は、ＤＳＲＣスペクトルの少なくとも一部分を日和見的に使用するために使用され得る。方法９００は一実装形態にすぎないこと、および方法９００の動作は、他の実装形態が可能であるように、並べ替えられるかまたはいくつかの場合では変更され得ることに留意されたい。
【００８１】
[0090]添付の図面に関して上記に記載した詳細な説明は、例示的な実施形態について説明しており、実装され得るまたは特許請求の範囲内に入る実施形態のみを表すものではない。この説明全体にわたって使用する「例示的」という用語は、「例、事例、または例示の働きをすること」を意味し、「好ましい」または「他の実施形態よりも有利な」を意味しない。詳細な説明は、説明した技法の理解を与えるための具体的な詳細を含む。ただし、これらの技法は、これらの具体的な詳細なしに実施され得る。いくつかの事例では、説明した実施形態の概念を不明瞭にすることを回避するために、よく知られている構造およびデバイスがブロック図の形式で示されている。
【００８２】
[0091]本明細書で説明する技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムに使用され得る。「システム」および「ネットワーク」という用語は、しばしば互換的に使用される。ＣＤＭＡシステムは、ＣＤＭＡ２０００、ユニバーサルテレストリアルラジオアクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））およびＣＤＭＡの他の変形形態を含む。ＴＤＭＡシステムは、グローバルシステムフォーモバイルコミュニケーション（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ：Evolved UTRA）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）という名称の組織からの文書に記載されている。ＣＤＭＡ２０００およびＵＭＢは、「第３世代パートナーシッププロジェクト２」（３ＧＰＰ２）という名称の組織からの文書に記載されている。本明細書で説明する技法は、上記のシステムおよび無線技術、ならびに他のシステムおよび無線技術のために使用され得る。ただし、以下の説明では、例としてＬＴＥシステムについて説明し、以下の説明の大部分においてＬＴＥ用語が使用されるが、本技法はＬＴＥ適用例以外に適用可能である。
【００８３】
[0092]様々な開示する実施形態のいくつかに適応し得る通信ネットワークは、階層化プロトコルスタックに従って動作するパケットベースネットワークであり得る。たとえば、ベアラまたはパケットデータコンバージェンスプロトコル（ＰＤＣＰ）レイヤにおける通信はＩＰベースであり得る。無線リンク制御（ＲＬＣ）レイヤが、論理チャネルを介して通信するためにパケットセグメンテーションおよびリアセンブリを実行し得る。媒体アクセス制御（ＭＡＣ）レイヤが、優先度処理と、トランスポートチャネルへの論理チャネルの多重化とを実行し得る。ＭＡＣレイヤはまた、リンク効率を改善するためにＭＡＣレイヤにおいて再送信を行うためにハイブリッドＡＲＱ（ＨＡＲＱ）を使用し得る。物理レイヤにおいて、トランスポートチャネルは物理チャネルにマッピングされ得る。
【００８４】
[0093]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００８５】
[0094]本明細書の開示に関して説明した様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実施するように設計されたそれらの任意の組合せを用いて実装または実行され得る。汎用プロセッサはマイクロプロセッサであり得るが、代替として、プロセッサは任意の従来のプロセッサ、制御器、マイクロ制御器、または状態機械であり得る。プロセッサは、コンピューティングデバイスの組合せ、たとえばＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。プロセッサは、いくつかの場合では、メモリと電子通信していることがあり、メモリは、プロセッサによって実行可能な命令を記憶する。
【００８６】
[0095]本明細書で説明する機能は、ハードウェア、プロセッサによって実行されるソフトウェア、ファームウェア、またはそれらの組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態は、本開示および添付の特許請求の範囲および趣旨内に入る。たとえば、ソフトウェアの性質により、上記で説明した機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が、異なる物理ロケーションにおいて実装されるように分散されることを含めて、様々な位置に物理的に配置され得る。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙は、ＡまたはＢまたはＣまたはＡＢまたはＡＣまたはＢＣまたはＡＢＣ（すなわち、ＡおよびＢおよびＣ）を意味するような選言的列挙を示す。
【００８７】
[0096]コンピュータプログラム製品またはコンピュータ可読媒体はいずれも、ある場所から別の場所へのコンピュータプログラムの転送を容易にする任意の媒体を含む、コンピュータ可読記憶媒体と通信媒体とを含む。記憶媒体は、汎用または専用コンピュータによってアクセスされ得る任意の媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のコンピュータ可読プログラムコードを搬送または記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモート光源から送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびｂｌｕ−ｒａｙ（登録商標）ディスク（disc）を含み、ディスク（disk）は通常、データを磁気的に再生し、ディスク（disc）は、データをレーザーで光学的に再生する。上記の組合せもコンピュータ可読媒体の範囲内に含まれる。
【００８８】
[0097]本開示についての以上の説明は、当業者が本開示を作成または使用することができるように与えられる。本開示への様々な修正は当業者には容易に明らかとなり、本明細書で定義した一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明した例および設計に限定されるべきでなく、本明細書で開示する原理および新規の特徴に合致する最も広い範囲を与えられるべきである。
【図１】
2016525299.tif 000003
【図２】
2016525299.tif 000004
【図３】
2016525299.tif 000005
【図４】
2016525299.tif 000006
【図５】
2016525299.tif 000007
【図６】
2016525299.tif 000008
【図７】
2016525299.tif 000009
【図８】
2016525299.tif 000010
【図９】
2016525299.tif 000011
【手続補正書】
【提出日】平成28年3月9日(2016.3.9)
【手続補正１】
【補正対象書類名】特許請求の範囲
【補正対象項目名】全文
【補正方法】変更
【補正の内容】
【特許請求の範囲】
【請求項１】
専用狭域通信（ＤＳＲＣ）スペクトルの少なくとも一部分を日和見的に使用するマルチモードデバイスのための方法であって、
前記ＤＳＲＣスペクトルの外側にある第１の通信チャネルを介して、前記マルチモードデバイスが、前記ＤＳＲＣスペクトルの外側で動作することと、
前記ＤＳＲＣスペクトルの少なくとも前記一部分上のアクティビティレベルを検出することと、
前記検出されたアクティビティレベルに少なくとも部分的に基づいて前記ＤＳＲＣスペクトルの少なくとも前記一部分を使用すべきかどうかを決定することと、
前記ＤＳＲＣスペクトルの少なくとも前記一部分を使用することを決定すると、前記ＤＳＲＣスペクトル内で送信のための第２の通信チャネルを確立することと
を備え、前記マルチモードデバイスは、前記第２の通信チャネルを使用して前記送信が行われる間、前記第１の通信チャネルを維持する、方法。
【請求項２】
アクセスポイントから、前記ＤＳＲＣスペクトルを使用する前記アクセスポイントの能力を示す情報を備える送信を受信することと、
前記アクセスポイントに、前記ＤＳＲＣスペクトルを使用する能力を示すシグナリング情報を送ることと
をさらに備える、請求項１に記載の方法。
【請求項３】
前記アクティビティレベルを前記検出することは、
前記ＤＳＲＣスペクトル上の前記アクティビティレベルを検出するために前記ＤＳＲＣスペクトルを周期的にスキャンすることを備える、
請求項１に記載の方法。
【請求項４】
アクセスポイントに、前記ＤＳＲＣスペクトルの少なくとも前記一部分の少なくとも１つのスキャンの結果を備えるレポートを送信することをさらに備える、
請求項３に記載の方法。
【請求項５】
アクセスポイントから、前記ＤＳＲＣスペクトルの少なくとも前記一部分の使用が許されるかどうかを示す命令を受信することをさらに備え、前記命令は、前記ＤＳＲＣスペクトルの少なくとも前記一部分上の前記アクティビティレベルに少なくとも部分的に基づく、請求項３に記載の方法。
【請求項６】
前記ＤＳＲＣスペクトル中の前記送信が終了したと決定することと、
前記第２の通信チャネルの前記使用を終了することと
をさらに備える、請求項１に記載の方法。
【請求項７】
前記アクティビティレベルを前記検出することは、
前記ＤＳＲＣスペクトル中のエネルギーレベルを検出することを備える、
請求項１に記載の方法。
【請求項８】
前記アクティビティレベルを前記検出することは、
前記ＤＳＲＣスペクトル中のパケットの送信を検出することと、
前記パケットがＤＳＲＣパケットであるかどうかを決定することと
を備える、請求項１に記載の方法。
【請求項９】
前記パケットがＤＳＲＣパケットであるかどうかを前記決定することは、
前記パケットのプリアンブルを分析することと、
前記分析されたプリアンブルの１つまたは複数の特性に少なくとも部分的に基づいて、前記パケットがＤＳＲＣパケットであると決定することと
を備える、請求項８に記載の方法。
【請求項１０】
前記ＤＳＲＣスペクトルを使用すべきかどうかを前記決定することは、
前記ＤＳＲＣスペクトルを使用した前記マルチモードデバイスの送信によって引き起こされる干渉のレベルがしきい値干渉レベルを下回るかどうかを決定することを備える、
請求項１に記載の方法。
【請求項１１】
干渉の前記レベルが１つまたは複数の異なる送信電力レベルに対して前記しきい値干渉レベルを下回るかどうかを決定することをさらに備える、
請求項１０に記載の方法。
【請求項１２】
干渉の前記レベルが前記マルチモードデバイスの１つまたは複数の異なるアンテナ構成に対して前記しきい値干渉レベルを下回るかどうかを決定することをさらに備える、
請求項１０に記載の方法。
【請求項１３】
前記しきい値干渉レベルは、前記マルチモードデバイスの地理的ロケーションに少なくとも部分的に基づく、
請求項１０に記載の方法。
【請求項１４】
専用狭域通信（ＤＳＲＣ）スペクトルの少なくとも一部分を日和見的に使用するためのマルチモードデバイスであって、
プロセッサと、
前記プロセッサと電子通信しているメモリと、
前記メモリに記憶された命令と
を備え、前記命令は、
前記ＤＳＲＣスペクトルの外側にある第１の通信チャネルを介して、前記マルチモードデバイスを前記ＤＳＲＣスペクトルの外側で動作させることと、
前記ＤＳＲＣスペクトルの少なくとも前記一部分上のアクティビティレベルを検出することと、
前記検出されたアクティビティレベルに少なくとも部分的に基づいて前記ＤＳＲＣスペクトルの少なくとも前記一部分を使用すべきかどうかを決定することと、
前記ＤＳＲＣスペクトルの少なくとも前記一部分を使用することを決定すると、前記ＤＳＲＣスペクトル内で送信のための第２の通信チャネルを確立することと
を行うために前記プロセッサによって実行可能であり、前記マルチモードデバイスは、前記第２の通信チャネルを使用して前記送信が行われる間、前記第１の通信チャネルを維持する、マルチモードデバイス。
【請求項１５】
前記命令は、
アクセスポイントから、前記ＤＳＲＣスペクトルを使用する前記アクセスポイントの能力を示す情報を備える送信を受信することと、
前記アクセスポイントに、前記ＤＳＲＣスペクトルを使用する能力を示すシグナリング情報を送ることと
を行うために前記プロセッサによって実行可能である、
請求項１４に記載のマルチモードデバイス。
【請求項１６】
前記アクティビティレベルを検出するための前記命令は、
前記ＤＳＲＣスペクトルの少なくとも前記一部分上の前記アクティビティレベルを検出するために前記ＤＳＲＣスペクトルを周期的にスキャンすることを行うために前記プロセッサによって実行可能である、
請求項１４に記載のマルチモードデバイス。
【請求項１７】
前記命令は、
アクセスポイントに、前記ＤＳＲＣスペクトルの少なくとも前記一部分の少なくとも１つのスキャンの結果を備えるレポートを送信することを行うために前記プロセッサによって実行可能である、
請求項１６に記載のマルチモードデバイス。
【請求項１８】
前記命令は、
アクセスポイントから、前記ＤＳＲＣスペクトルの少なくとも前記一部分の使用が許されるかどうかを示す命令を受信するために前記プロセッサによって実行可能であり、前記命令は、前記ＤＳＲＣスペクトル上の前記アクティビティレベルに少なくとも部分的に基づく、
請求項１６に記載のマルチモードデバイス。
【請求項１９】
前記命令は、
前記ＤＳＲＣスペクトル中の前記送信が終了したと決定することと、
前記第２の通信チャネルの前記使用を終了することと
を行うために前記プロセッサによって実行可能である、請求項１４に記載のマルチモードデバイス。
【請求項２０】
前記アクティビティレベルを検出するための前記命令は、
前記ＤＳＲＣスペクトル中のエネルギーレベルを検出することを行うために前記プロセッサによって実行可能である、
請求項１４に記載のマルチモードデバイス。
【請求項２１】
前記アクティビティレベルを検出するための前記命令は、
前記ＤＳＲＣスペクトル中のパケットの送信を検出することと、
前記パケットがＤＳＲＣパケットであるかどうかを決定することと
を行うために前記プロセッサによって実行可能である、請求項１４に記載のマルチモードデバイス。
【請求項２２】
前記パケットがＤＳＲＣパケットであるかどうかを決定するための前記命令は、
前記パケットのプリアンブルを分析することと、
前記分析されたプリアンブルの１つまたは複数の特性に少なくとも部分的に基づいて、前記パケットがＤＳＲＣパケットであると決定することと
を行うために前記プロセッサによって実行可能である、請求項２１に記載のマルチモードデバイス。
【請求項２３】
前記ＤＳＲＣスペクトルを使用すべきかどうかを決定するための前記命令は、
前記ＤＳＲＣスペクトルを使用した前記マルチモードデバイスの送信によって引き起こされる干渉のレベルがしきい値干渉レベルを下回るかどうかを決定することを行うために前記プロセッサによって実行可能である、
請求項１４に記載のマルチモードデバイス。
【請求項２４】
前記命令は、
干渉の前記レベルが１つまたは複数の異なる送信電力レベルに対して前記しきい値干渉レベルを下回るかどうかを決定することを行うために前記プロセッサによって実行可能である、
請求項２３に記載のマルチモードデバイス。
【請求項２５】
前記命令は、
干渉の前記レベルが前記マルチモードデバイスの１つまたは複数の異なるアンテナ構成に対して前記しきい値干渉レベルを下回るかどうかを決定することを行うために前記プロセッサによって実行可能である、
請求項２３に記載のマルチモードデバイス。
【請求項２６】
前記しきい値干渉レベルは、前記マルチモードデバイスの地理的ロケーションに少なくとも部分的に基づく、
請求項２３に記載のマルチモードデバイス。
【請求項２７】
専用狭域通信（ＤＳＲＣ）スペクトルの少なくとも一部分を日和見的に使用するマルチモードデバイスのための装置であって、
前記ＤＳＲＣスペクトルの外側にある第１の通信チャネルを介して、前記マルチモードデバイスを前記ＤＳＲＣスペクトルの外側で動作させるための手段と、
前記ＤＳＲＣスペクトルの少なくとも前記一部分上のアクティビティレベルを検出するための手段と、
前記検出されたアクティビティレベルに少なくとも部分的に基づいて前記ＤＳＲＣスペクトルの少なくとも前記一部分を使用すべきかどうかを決定するための手段と、
前記ＤＳＲＣスペクトルの少なくとも前記一部分を使用することを決定すると、前記ＤＳＲＣスペクトル内で送信のための第２の通信チャネルを確立するための手段と
を備え、前記マルチモードデバイスは、前記第２の通信チャネルを使用して前記送信が行われる間、前記第１の通信チャネルを維持する、装置。
【請求項２８】
アクセスポイントから、前記ＤＳＲＣスペクトルを使用する前記アクセスポイントの能力を示す情報を備える送信を受信するための手段と、
前記アクセスポイントに、前記ＤＳＲＣスペクトルを使用する能力を示すシグナリング情報を送るための手段と
をさらに備える、請求項２７に記載の装置。
【請求項２９】
前記アクティビティレベルを検出するための前記手段は、
前記ＤＳＲＣスペクトルの少なくとも前記一部分上の前記アクティビティレベルを検出するために前記ＤＳＲＣスペクトルを周期的にスキャンするための手段を備える、
請求項２７に記載の装置。
【請求項３０】
前記アクティビティレベルを検出するための前記手段は、
前記ＤＳＲＣスペクトル中のエネルギーレベルを検出するための手段を備える、
請求項２７に記載の装置。
【請求項３１】
前記アクティビティレベルを検出するための前記手段は、
前記ＤＳＲＣスペクトル中のパケットの送信を検出するための手段と、
前記パケットがＤＳＲＣパケットであるかどうかを決定するための手段と
を備える、請求項２７に記載の装置。
【請求項３２】
前記ＤＳＲＣスペクトルを使用すべきかどうかを決定するための前記手段は、
前記ＤＳＲＣスペクトルを使用した前記マルチモードデバイスの送信によって引き起こされる干渉のレベルがしきい値干渉レベルを下回るかどうかを決定するための手段を備える、
請求項２７に記載の装置。
【請求項３３】
専用狭域通信（ＤＳＲＣ）スペクトルの少なくとも一部分を日和見的に使用するマルチモードデバイスのためのコンピュータプログラム製品であって、
前記ＤＳＲＣスペクトルの外側にある第１の通信チャネルを介して、前記マルチモードデバイスを前記ＤＳＲＣスペクトルの外側で動作させることと、
前記ＤＳＲＣスペクトルの少なくとも前記一部分上のアクティビティレベルを検出することと、
前記検出されたアクティビティレベルに少なくとも部分的に基づいて前記ＤＳＲＣスペクトルの少なくとも前記一部分を使用すべきかどうかを決定することと、
前記ＤＳＲＣスペクトルの少なくとも前記一部分を使用することを決定すると、前記ＤＳＲＣスペクトル内で送信のための第２の通信チャネルを確立することと
を行うためにプロセッサによって実行可能である命令を記憶する非一時的コンピュータ可読媒体を備え、前記マルチモードデバイスは、前記第２の通信チャネルを使用して前記送信が行われる間、前記第１の通信チャネルを維持する、コンピュータプログラム製品。
【請求項３４】
前記アクティビティレベルを検出するための前記命令は、
前記ＤＳＲＣスペクトル中のエネルギーレベルを検出することを行うために前記プロセッサによって実行可能である、
請求項３３に記載のコンピュータプログラム製品。
【請求項３５】
前記ＤＳＲＣスペクトルを使用すべきかどうかを決定するための前記命令は、
前記ＤＳＲＣスペクトルを使用した前記マルチモードデバイスの送信によって引き起こされる干渉のレベルがしきい値干渉レベルを下回るかどうかを決定することを行うために前記プロセッサによって実行可能である、
請求項３３に記載のコンピュータプログラム製品。
【手続補正２】
【補正対象書類名】明細書
【補正対象項目名】００８８
【補正方法】変更
【補正の内容】
【００８８】
[0097]本開示についての以上の説明は、当業者が本開示を作成または使用することができるように与えられる。本開示への様々な修正は当業者には容易に明らかとなり、本明細書で定義した一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明した例および設計に限定されるべきでなく、本明細書で開示する原理および新規の特徴に合致する最も広い範囲を与えられるべきである。
以下に、本願出願の当初の特許請求の範囲に記載された発明を付記する。
［Ｃ１］  専用狭域通信（ＤＳＲＣ）スペクトルの少なくとも一部分を日和見的に使用するための方法であって、
マルチモードデバイスが、前記ＤＳＲＣスペクトルの外側で動作することと、
前記ＤＳＲＣスペクトルの少なくとも前記一部分上のアクティビティレベルを検出することと、
前記検出されたアクティビティレベルに少なくとも部分的に基づいて前記ＤＳＲＣスペクトルの少なくとも前記一部分を使用すべきかどうかを決定することと
を備える、方法。
［Ｃ２］  アクセスポイントから、前記ＤＳＲＣスペクトルを使用する前記アクセスポイントの能力を示す情報を備える送信を受信することと、
前記ＤＳＲＣスペクトルを使用する能力を示すシグナリング情報を送ることと
をさらに備える、Ｃ１に記載の方法。
［Ｃ３］  前記アクティビティレベルを前記検出することは、
前記ＤＳＲＣスペクトル上の前記アクティビティレベルを検出するために前記ＤＳＲＣスペクトルを周期的にスキャンすることを備える、
Ｃ１に記載の方法。
［Ｃ４］  前記ＤＳＲＣスペクトルの少なくとも前記一部分の少なくとも１つのスキャンの結果を備えるレポートを送信することをさらに備える、
Ｃ３に記載の方法。
［Ｃ５］  前記ＤＳＲＣスペクトルの少なくとも前記一部分の使用が許されるかどうかを示す命令を受信することをさらに備え、前記命令は、前記ＤＳＲＣスペクトルの少なくとも前記一部分上の前記アクティビティレベルに少なくとも部分的に基づく、Ｃ３に記載の方法。
［Ｃ６］  第１の通信チャネルを確立すること、前記第１の通信チャネルは、前記ＤＳＲＣスペクトルの外側にある、と、
前記ＤＳＲＣスペクトルの少なくとも前記一部分を使用することを決定すると、送信のための第２の通信チャネルを確立することと
をさらに備え、前記第２の通信チャネルの少なくとも一部分は、前記ＤＳＲＣスペクトル内にある、
Ｃ１に記載の方法。
［Ｃ７］  前記第２の通信チャネルを使用して前記送信が行われる間、前記第１の通信チャネルを維持することをさらに備える、Ｃ６に記載の方法。
［Ｃ８］  前記ＤＳＲＣスペクトル中の前記送信が終了したと決定することと、
前記第２の通信チャネルの前記使用を終了することと
をさらに備える、Ｃ６に記載の方法。
［Ｃ９］  前記アクティビティレベルを前記検出することは、
前記ＤＳＲＣスペクトル中のエネルギーレベルを検出することを備える、
Ｃ１に記載の方法。
［Ｃ１０］  前記アクティビティレベルを前記検出することは、
前記ＤＳＲＣスペクトル中のパケットの送信を検出することと、
前記パケットがＤＳＲＣパケットであるかどうかを決定することと
を備える、Ｃ１に記載の方法。
［Ｃ１１］  前記パケットがＤＳＲＣパケットであるかどうかを前記決定することは、
前記パケットのプリアンブルを分析することと、
前記分析されたプリアンブルの１つまたは複数の特性に少なくとも部分的に基づいて、前記パケットがＤＳＲＣパケットであると決定することと
を備える、Ｃ１０に記載の方法。
［Ｃ１２］  前記ＤＳＲＣスペクトルを使用すべきかどうかを前記決定することは、
前記ＤＳＲＣスペクトルを使用した前記マルチモードデバイスの送信によって引き起こされる干渉のレベルがしきい値干渉レベルを下回るかどうかを決定することを備える、
Ｃ１に記載の方法。
［Ｃ１３］  干渉の前記レベルが１つまたは複数の異なる送信電力レベルに対して前記しきい値干渉レベルを下回るかどうかを決定することをさらに備える、
Ｃ１２に記載の方法。
［Ｃ１４］  干渉の前記レベルが前記マルチモードデバイスの１つまたは複数の異なるアンテナ構成に対して前記しきい値干渉レベルを下回るかどうかを決定することをさらに備える、
Ｃ１２に記載の方法。
［Ｃ１５］  前記しきい値干渉レベルは、前記マルチモードデバイスの地理的ロケーションに少なくとも部分的に基づく、
Ｃ１２に記載の方法。
［Ｃ１６］  専用狭域通信（ＤＳＲＣ）スペクトルの少なくとも一部分を日和見的に使用するためのデバイスであって、
プロセッサと、
前記プロセッサと電子通信しているメモリと、
前記メモリに記憶された命令と
を備え、前記命令は、
マルチモードデバイスを前記ＤＳＲＣスペクトルの外側で動作させることと、
前記ＤＳＲＣスペクトルの少なくとも前記一部分上のアクティビティレベルを検出することと、
前記検出されたアクティビティレベルに少なくとも部分的に基づいて前記ＤＳＲＣスペクトルの少なくとも前記一部分を使用すべきかどうかを決定することと
を行うために前記プロセッサによって実行可能である、デバイス。
［Ｃ１７］  前記命令は、
アクセスポイントから、前記ＤＳＲＣスペクトルを使用する前記アクセスポイントの能力を示す情報を備える送信を受信することと、
前記ＤＳＲＣスペクトルを使用する能力を示すシグナリング情報を送ることと
を行うために前記プロセッサによって実行可能である、  Ｃ１６に記載のデバイス。
［Ｃ１８］  前記アクティビティレベルを検出するための前記命令は、
前記ＤＳＲＣスペクトルの少なくとも前記一部分上の前記アクティビティレベルを検出するために前記ＤＳＲＣスペクトルを周期的にスキャンすることを行うために前記プロセッサによって実行可能である、
Ｃ１６に記載のデバイス。
［Ｃ１９］  前記命令は、
前記ＤＳＲＣスペクトルの少なくとも前記一部分の少なくとも１つのスキャンの結果を備えるレポートを送信することを行うために前記プロセッサによって実行可能である、
Ｃ１８に記載のデバイス。
［Ｃ２０］  前記命令は、
前記ＤＳＲＣスペクトルの少なくとも前記一部分の使用が許されるかどうかを示す命令を受信するために前記プロセッサによって実行可能であり、前記命令は、前記ＤＳＲＣスペクトル上の前記アクティビティレベルに少なくとも部分的に基づく、
Ｃ１８に記載のデバイス。
［Ｃ２１］  前記命令は、
第１の通信チャネルを確立すること、前記第１の通信チャネルが前記ＤＳＲＣスペクトルの外側にある、と、
前記ＤＳＲＣスペクトルの少なくとも前記一部分を使用することを決定すると、送信のための第２の通信チャネルを確立することと
を行うために前記プロセッサによって実行可能であり、前記第２の通信チャネルの少なくとも一部分が前記ＤＳＲＣスペクトル内にある、
Ｃ１６に記載のデバイス。
［Ｃ２２］  前記命令は、
前記第２の通信チャネルを使用して前記送信が行われる間、前記第１の通信チャネルを維持することを行うために前記プロセッサによって実行可能である、
Ｃ２１に記載のデバイス。
［Ｃ２３］  前記命令は、
前記ＤＳＲＣスペクトル中の前記送信が終了したと決定することと、
前記第２の通信チャネルの前記使用を終了することと
を行うために前記プロセッサによって実行可能である、Ｃ２１に記載のデバイス。
［Ｃ２４］  前記アクティビティレベルを検出するための前記命令は、
前記ＤＳＲＣスペクトル中のエネルギーレベルを検出することを行うために前記プロセッサによって実行可能である、
Ｃ１６に記載のデバイス。
［Ｃ２５］  前記アクティビティレベルを検出するための前記命令は、
前記ＤＳＲＣスペクトル中のパケットの送信を検出することと、
前記パケットがＤＳＲＣパケットであるかどうかを決定することと
を行うために前記プロセッサによって実行可能である、Ｃ１６に記載のデバイス。
［Ｃ２６］  前記パケットがＤＳＲＣパケットであるかどうかを決定するための前記命令は、
前記パケットのプリアンブルを分析することと、
前記分析されたプリアンブルの１つまたは複数の特性に少なくとも部分的に基づいて、前記パケットがＤＳＲＣパケットであると決定することと
を行うために前記プロセッサによって実行可能である、Ｃ２５に記載のデバイス。
［Ｃ２７］  前記ＤＳＲＣスペクトルを使用すべきかどうかを決定するための前記命令は、
前記ＤＳＲＣスペクトルを使用した前記マルチモードデバイスの送信によって引き起こされる干渉のレベルがしきい値干渉レベルを下回るかどうかを決定することを行うために前記プロセッサによって実行可能である、
Ｃ１６に記載のデバイス。
［Ｃ２８］  前記命令は、
干渉の前記レベルが１つまたは複数の異なる送信電力レベルに対して前記しきい値干渉レベルを下回るかどうかを決定することを行うために前記プロセッサによって実行可能である、
Ｃ２７に記載のデバイス。
［Ｃ２９］  前記命令は、
干渉の前記レベルが前記マルチモードデバイスの１つまたは複数の異なるアンテナ構成に対して前記しきい値干渉レベルを下回るかどうかを決定することを行うために前記プロセッサによって実行可能である、
Ｃ２７に記載のデバイス。
［Ｃ３０］  前記しきい値干渉レベルは、前記マルチモードデバイスの地理的ロケーションに少なくとも部分的に基づく、
Ｃ２７に記載のデバイス。
［Ｃ３１］  専用狭域通信（ＤＳＲＣ）スペクトルの少なくとも一部分を日和見的に使用するための装置であって、
マルチモードデバイスを前記ＤＳＲＣスペクトルの外側で動作させるための手段と、
前記ＤＳＲＣスペクトルの少なくとも前記一部分上のアクティビティレベルを検出するための手段と、
前記検出されたアクティビティレベルに少なくとも部分的に基づいて前記ＤＳＲＣスペクトルの少なくとも前記一部分を使用すべきかどうかを決定するための手段と
を備える、装置。
［Ｃ３２］  アクセスポイントから、前記ＤＳＲＣスペクトルを使用する前記アクセスポイントの能力を示す情報を備える送信を受信するための手段と、
前記ＤＳＲＣスペクトルを使用する能力を示すシグナリング情報を送るための手段と
をさらに備える、Ｃ３１に記載の装置。
［Ｃ３３］  前記アクティビティレベルを検出するための前記手段は、
前記ＤＳＲＣスペクトルの少なくとも前記一部分上の前記アクティビティレベルを検出するために前記ＤＳＲＣスペクトルを周期的にスキャンするための手段を備える、
Ｃ３１に記載の装置。
［Ｃ３４］  第１の通信チャネルを確立するための手段、前記第１の通信チャネルが前記ＤＳＲＣスペクトルの外側にある、と、
前記ＤＳＲＣスペクトルの少なくとも前記一部分を使用することを決定すると、送信のための第２の通信チャネルを確立するための手段と
をさらに備え、前記第２の通信チャネルの少なくとも一部分が前記ＤＳＲＣスペクトル内にある、
Ｃ３１に記載の装置。
［Ｃ３５］  前記第２の通信チャネルを使用して前記送信が行われる間、前記第１の通信チャネルを維持するための手段をさらに備える、
Ｃ３４に記載の装置。
［Ｃ３６］  前記アクティビティレベルを検出するための前記手段は、
前記ＤＳＲＣスペクトル中のエネルギーレベルを検出するための手段を備える、
Ｃ３１に記載の装置。
［Ｃ３７］  前記アクティビティレベルを検出するための前記手段は、
前記ＤＳＲＣスペクトル中のパケットの送信を検出するための手段と、
前記パケットがＤＳＲＣパケットであるかどうかを決定するための手段と
を備える、Ｃ３１に記載の装置。
［Ｃ３８］  前記ＤＳＲＣスペクトルを使用すべきかどうかを決定するための前記手段は、
前記ＤＳＲＣスペクトルを使用した前記マルチモードデバイスの送信によって引き起こされる干渉のレベルがしきい値干渉レベルを下回るかどうかを決定するための手段を備える、
Ｃ３１に記載の装置。
［Ｃ３９］  専用狭域通信（ＤＳＲＣ）スペクトルの少なくとも一部分を日和見的に使用するためのコンピュータプログラム製品であって、
マルチモードデバイスを前記ＤＳＲＣスペクトルの外側で動作させることと、
前記ＤＳＲＣスペクトルの少なくとも前記一部分上のアクティビティレベルを検出することと、
前記検出されたアクティビティレベルに少なくとも部分的に基づいて前記ＤＳＲＣスペクトルの少なくとも前記一部分を使用すべきかどうかを決定することと
を行うためにプロセッサによって実行可能である命令を記憶する非一時的コンピュータ可読媒体を備える、コンピュータプログラム製品。
［Ｃ４０］  前記命令は、
第１の通信チャネルを確立すること、前記第１の通信チャネルが前記ＤＳＲＣスペクトルの外側にある、と、
前記ＤＳＲＣスペクトルの少なくとも前記一部分を使用することを決定すると、送信のための第２の通信チャネルを確立することと
を行うために前記プロセッサによって実行可能であり、前記第２の通信チャネルの少なくとも一部分が前記ＤＳＲＣスペクトル内にある、
Ｃ３９に記載のコンピュータプログラム製品。
［Ｃ４１］  前記命令は、
前記第２の通信チャネルを使用して前記送信が行われる間、前記第１の通信チャネルを維持することを行うために前記プロセッサによって実行可能である、
Ｃ４０に記載のコンピュータプログラム製品。
［Ｃ４２］  前記アクティビティレベルを検出するための前記命令は、
前記ＤＳＲＣスペクトル中のエネルギーレベルを検出することを行うために前記プロセッサによって実行可能である、
Ｃ３９に記載のコンピュータプログラム製品。
［Ｃ４３］  前記ＤＳＲＣスペクトルを使用すべきかどうかを決定するための前記命令は、
前記ＤＳＲＣスペクトルを使用した前記マルチモードデバイスの送信によって引き起こされる干渉のレベルがしきい値干渉レベルを下回るかどうかを決定することを行うために前記プロセッサによって実行可能である、
Ｃ３９に記載のコンピュータプログラム製品。
【国際調査報告】
2016525299.tif 000012
2016525299.tif 000013
2016525299.tif 000014